(57)【特許請求の範囲】
【請求項１】
駆動手段からの駆動力を受けて遊技盤に対して移動する可動表示器と、
前記可動表示器の位置を検出する検出手段と、
前記検出手段によって検出された前記可動表示器の位置が、遊技球が移動する遊技領域に配置された当該遊技球の入賞又は抽選に係る役物に対応付けられた所定位置であるか否かを判定する位置判定手段と、
前記位置判定手段によって前記所定位置であると判定された場合に、前記遊技球の入賞又は抽選に係る役物に関する情報を示す画像であるサブ画像を前記可動表示器の表示画面に表示させる表示制御手段とを備える、パチンコ遊技機。
【請求項２】
前記遊技盤に固定され、前記可動表示器よりも画面解像度が大きい表示画面を有する固定表示器を備え、
前記表示制御手段は、
メイン画像をフレームバッファに描画すると共に、前記サブ画像を複数の領域に分割して得られる分割画像として前記フレームバッファの空き領域に描画する描画手段と、
前記メイン画像を前記フレームバッファから読み出して前記固定表示器に出力すると共に、前記分割画像を当該フレームバッファから読み出して前記サブ画像として前記可動表示器に出力する出力手段とを含む、請求項１に記載のパチンコ遊技機。
【請求項３】
前記空き領域のサイズ及び前記サブ画像のサイズに基づいて、前記分割画像のサイズ、及び前記サブ画像を構成する前記分割画像の数を示す分割数を算出する算出手段を備え、
前記描画手段は、前記算出手段によって算出された分割画像のサイズ及び分割数の画像を前記分割画像として前記空き領域に描画する、請求項２に記載のパチンコ遊技機。
【請求項４】
前記空き領域のサイズ及び前記サブ画像のサイズに基づいて、前記サブ画像を前記空き領域に描画するために分割が必要か否かを判定する分割判定手段を備え、
前記描画手段は、前記分割判定手段によって分割が必要と判定された場合に前記サブ画像を前記分割画像として前記空き領域に描画し、前記分割判定手段によって分割が不要と判定された場合には前記サブ画像を分割することなく前記空き領域に描画し、
前記出力手段は、前記可動表示器に対して、前記分割画像を前記フレームバッファから読み出して前記サブ画像として出力する処理、又は前記サブ画像を前記フレームバッファから読み出して出力する処理を行う、請求項２に記載のパチンコ遊技機。
【発明の詳細な説明】
【技術分野】
【０００１】
本発明は、大当たり抽選を始動させる始動口等の遊技球の入賞に係る役物を備えるパチンコ遊技機に関する。
【背景技術】
【０００２】
パチンコ遊技機は、始動口への遊技球の入賞を契機として大当たり抽選を実行すると共に、特別図柄を変動表示してから大当たり抽選の結果を示す特別図柄を停止表示し、その停止表示された特別図柄が所定の当たり図柄であった場合に、大入賞口が解放されて遊技者が大当たり遊技を楽しめるように構成されている。この種のパチンコ遊技機としては、例えば特許文献１に開示されたパチンコ遊技機が挙げられる。
【０００３】
特許文献１に記載のパチンコ遊技機は、遊技盤の中央部に設けられた液晶表示器の側方に、第１スルーゲート及び第２スルーゲートが上下に並んで配置されている。第１スルーゲートは、遊技球の通過を契機として第１特別図柄抽選（第１の大当たり抽選）を始動させるものであり、いわゆる「ヘソ」として機能するものであり、第２スルーゲートは、遊技球の通過を契機として第２特別図柄抽選（第２の大当たり抽選）を始動させるものであり、一般的なパチンコ遊技機においていわゆる電動チューリップの作動によって開放される始動口に相当するものである。また、このパチンコ遊技機は、液晶表示器の下方に、第１大入賞口及び第２大入賞口が左右に並んで配置されている。第１大入賞口は、第１特別図柄抽選に当選した場合に開放され、第２大入賞口は、第２特別図柄抽選に当選した場合に開放される。
【先行技術文献】
【特許文献】
【０００４】
【特許文献１】特開２００９−２３３２５０号公報
【発明の概要】
【発明が解決しようとする課題】
【０００５】
ところで、従来のパチンコ遊技機では、遊技球の入球を契機として第１特別図柄抽選を始動させる第１始動口及び遊技球の入球を契機として第２特別図柄抽選を始動させる第２始動口が液晶表示器の下方に上下に並んで配置され、これらの入賞口の間に、電動チューリップが配置された盤面構成が一般的である。これに対して、遊技に対する興趣性の向上を目的として、特許文献１に開示されているような遊技球の入賞又は抽選に係る役物（始動口、ゲート、普通入賞口、大入賞口等）の設置位置や形状、機能といった盤面構成が独特なパチンコ遊技機が増えつつある。しかしながら、このような盤面構成の多様化は、遊技球の入賞又は抽選に係る各役物の機能を分かりにくくし、シンプルな盤面構成の機種を好む遊技者や遊技に不慣れな遊技者に対しては、却って興趣性を低下させてしまうことになりかねない。
【０００６】
それ故に、本発明の目的は、遊技球の入賞又は抽選に係る役物の位置や機能を遊技者が容易に把握することが可能なパチンコ遊技機を提供することである。
【課題を解決するための手段】
【０００７】
本発明は、上記の課題を解決するために、以下の構成を採用した。なお、本欄における括弧内の参照符号や補足説明等は、本発明の理解を助けるために後述する実施形態との対応関係を示したものであって、本発明を何ら限定するものではない。
【０００８】
本発明に係るパチンコ遊技機（１）は、駆動手段（１５１，２９，３０）からの駆動力を受けて遊技盤（２）に対して移動する可動表示器（６）と、前記可動表示器（６）の位置を検出する検出手段（１３１）と、前記検出手段（１３１）によって検出された前記可動表示器（６）の位置が、遊技球が移動する遊技領域（２０）に配置された当該遊技球の入賞に係る役物（２１〜２５，２７）に対応付けられた所定位置であるか否かを判定する位置判定手段（１３１）と、前記位置判定手段（１３１）によって前記所定位置であると判定された場合に、前記遊技球の入賞又は抽選に係る役物（２１〜２５，２７）に関する情報を示す画像であるサブ画像を前記可動表示器（６）の表示画面（６０）に表示させる表示制御手段（１４２）とを備える。
【０００９】
前記遊技盤（２）に固定され、前記可動表示器（６）よりも画面解像度が大きい表示画面（５０）を有する固定表示器（５）を備え、前記表示制御手段（１４２）は、メイン画像をフレームバッファ（１４２６Ａ，１４２６Ｂ）に描画すると共に、前記サブ画像を複数の領域に分割して得られる分割画像として前記フレームバッファ（１４２６Ａ，１４２６Ｂ）の空き領域に描画する描画手段（１４２４）と、前記メイン画像を前記フレームバッファ（１４２６Ａ，１４２６Ｂ）から読み出して前記固定表示器（５）に出力すると共に、前記分割画像を当該フレームバッファ（１４２６Ａ，１４２６Ｂ）から読み出して前記サブ画像として前記可動表示器（６）に出力する出力手段（１４２７）とを含んでいてもよい。
【００１０】
前記空き領域のサイズ及び前記サブ画像のサイズに基づいて、前記分割画像のサイズ、及び前記サブ画像を構成する前記分割画像の数を示す分割数を算出する算出手段（１４１）を備え、前記描画手段（１４２４）は、前記算出手段（１４１）によって算出された分割画像のサイズ及び分割数の画像を前記分割画像として前記空き領域に描画してもよい。
【００１１】
前記空き領域のサイズ及び前記サブ画像のサイズに基づいて、前記サブ画像を前記空き領域に描画するために分割が必要か否かを判定する分割判定手段（１４１）を備え、前記描画手段（１４２４）は、前記分割判定手段（１４１）によって分割が必要と判定された場合に前記サブ画像を前記分割画像として前記空き領域に描画し、前記分割判定手段（１４１）によって分割が不要と判定された場合には前記サブ画像を分割することなく前記空き領域に描画し、前記出力手段（１４２７）は、前記可動表示器（６）に対して、前記分割画像を前記フレームバッファ（１４２６Ａ，１４２６Ｂ）から読み出して前記サブ画像として出力する処理、又は前記サブ画像を前記フレームバッファ（１４２６Ａ，１４２６Ｂ）から読み出して出力する処理を行ってもよい。
【００１２】
遊技者によって操作される入力手段（３８）からの操作情報の入力を受け付ける入力受付手段（１３１）を備え、前記駆動手段（１５１，２９，３０）は、前記入力受付手段（１３１）によって受け付けられた操作情報に基づいて、前記可動表示器（６）を移動させてもよい。
【発明の効果】
【００１３】
この発明によれば、可動表示器が所定位置まで移動したときに遊技球の入賞又は抽選に係る役物に関する情報を示すサブ画像が可動表示器に表示されるので、その役物の位置や機能を遊技者が容易に把握することが可能になる。
【図面の簡単な説明】
【００１４】
【図１】パチンコ遊技機１の概略正面図
【図２】パチンコ遊技機１の一部を示す概略平面図
【図３】図１における表示器４の拡大図
【図４】液晶画面５０の概略構成を示す図
【図５】ＥＬ画面６０の位置検出について説明するための図
【図６】駆動機構１０の構成を示す斜視図
【図７】駆動機構１０の構成を示す斜視図
【図８】駆動機構１０の分解斜視図
【図９】ＥＬ表示器６の拡大斜視図
【図１０】パチンコ遊技機１の制御装置の構成例を示すブロック図
【図１１】画像音響制御部１４０の構成の一例を示すブロック図
【図１２】演出制御部１３０によって実行されるＥＬ制御処理の一例を示すフローチャート
【図１３】普通入賞口２４に関する役物関連情報を表示するＥＬ表示器６について説明するための説明図
【図１４】第１始動口２１に関する役物関連情報を表示するＥＬ表示器６について説明するための説明図
【図１５】大入賞口２３に関する役物関連情報を表示するＥＬ表示器６について説明するための説明図
【図１６】ゲート２５に関する役物関連情報を表示するＥＬ表示器６について説明するための説明図
【図１７】電動チューリップ２７に関する役物関連情報を表示するＥＬ表示器６について説明するための説明図
【図１８】第２始動口２２に関する役物関連情報を表示するＥＬ表示器６について説明するための説明図
【図１９】ＶＲＡＭ＿ＦＢ１４２６の構成について説明するための説明図
【図２０】画像音響制御部１４０によって実行される設定処理の一例を示すフローチャート
【図２１】メイン画像サイズ、サブ画像サイズ、フレームバッファサイズ、及び空き領域のサイズについて説明するための説明図
【図２２】画像音響制御部１４０によって実行される設定処理について説明するための説明図
【図２３】画像音響制御部１４０によって実行される表示制御処理の一例を示すフローチャート
【図２４】液晶画面５０による１画面表示が行われる際のＶＤＰ１４２による描画処理について説明するための説明図
【図２５】２画面表示のためにＶＤＰ１４２によって行われる描画処理の一例を示すフローチャート
【図２６】分割数ＳＮが「０」に設定されている場合にＶＤＰ１４２によって行われる描画処理について説明するための説明図
【図２７】分割数ＳＮが「４」に設定されている場合にＶＤＰ１４２によって行われる描画処理について説明するための説明図
【図２８】出力回路１４２７による分割画像の出力処理について説明するための説明図
【図２９】演出制御部１３０によって実行されるＥＬ制御処理の変形例を示すフローチャート
【図３０】駆動機構１０の変形例について説明するための図
【発明を実施するための形態】
【００１５】
以下、適宜図面を参照しつつ、本発明の一実施形態に係るパチンコ遊技機１について説明する。
【００１６】
［パチンコ遊技機１の概略構成］
まず、パチンコ遊技機１の概略構成について説明する。図１は、パチンコ遊技機１の概略正面図である。パチンコ遊技機１は、不図示の発射装置から打ち出された遊技球が入賞すると賞球を払い出すように構成されている。図１に示されるように、パチンコ遊技機１は、遊技球が打ち出される遊技盤２と、遊技盤２を囲む枠部材３とを備えている。枠部材３は、遊技盤２の表面側（図１の紙面手前側）に遊技盤２と所定の間隔を隔てて平行に配置された透明なガラス板（不図示）を支持する部材であり、遊技盤２に対して蝶番（不図示）を介して開閉可能に構成されている。
【００１７】
枠部材３に支持されたガラス板と遊技盤２との間には、遊技球が移動する遊技領域２０が形成されている。遊技者がハンドル３１を握ってレバー３２を時計方向へ回転させると、ハンドル３１の回転角度に応じた打球力で不図示の発射装置から遊技球が発射される。図には示されていないが、遊技盤２には、発射装置から発射された遊技球を遊技領域２０へ案内するガイド部材が設けられている。遊技球は、このガイド部材によって遊技領域２０の上部位置へ案内され、遊技領域２０に配置された不図示の遊技クギや風車等に接触することでその移動方向を変化させながら、遊技盤２の表面に沿って落下する。
【００１８】
遊技者がハンドル３１を小さい回転角で回転させる、いわゆる左打ちを行うと、遊技球が相対的に弱い打球力で発射装置から打ち出される。この場合、遊技球は、液晶表示器５の上方に設けられた遊技クギに跳ね返されて、例えば矢印１４で示されるように液晶表示器５の左側の遊技領域２０へと案内される。一方、遊技者がハンドル３１を大きい回転角で回転させる、いわゆる右打ちを行うと、遊技球が相対的に強い打球力で発射装置から打ち出される。この場合、遊技球は、液晶表示器５の上方に設けられた遊技クギを越えて、例えば矢印１５で示されるように液晶表示器５の右側の遊技領域２０へと案内される。
【００１９】
液晶表示器５の左側の遊技領域２０へ案内された遊技球の移動経路には、遊技球の入賞又は抽選に係る役物として、第１始動口２１、第２始動口２２、電動チューリップ２７、及び３つの普通入賞口２４が設けられている。ここで、遊技球の入賞に係る役物とは、遊技球が入賞したことを契機として賞球が払い出されるものや、遊技球の入賞をサポートするものである。また、遊技球の抽選に係る役物とは、遊技球が入賞したことを契機として抽選を始動させるものである。
【００２０】
第１始動口２１及び第２始動口２２は、第１始動口２１を第２始動口２２の上側として所定の間隔を隔てて上下に並んで配置されている。パチンコ遊技機１では、第１始動口２１又は第２始動口２２に遊技球が入って入賞すると、一定個数の遊技球が払い出されると共に、大当たり抽選が実行される。なお、以下の説明では、第１始動口２１への遊技球の入賞を契機として実行される大当たり抽選を第１特別図柄抽選と呼び、第２始動口２２への遊技球の入賞を契機として実行される大当たり抽選を第２特別図柄抽選と呼び、第１特別図柄抽選及び第２特別図柄抽選を総称して特別図柄抽選と呼ぶものとする。
【００２１】
第１始動口２１と第２始動口２２との間には、チューリップの花を模した一対の羽根部材を有する電動チューリップ２７が配置されている。電動チューリップ２７は、一対の羽根部材が閉じた閉姿勢（図１参照）と、一対の羽根部材が開いた開姿勢（不図示）との間で姿勢変化可能に構成されており、不図示の電動ソレノイドが作動することによって姿勢変化すると共に、姿勢変化に伴って点灯又は点滅する。
【００２２】
電動チューリップ２７が閉姿勢の状態では、電動チューリップ２７の羽根部材及び第１始動口２１を構成する部材によって第２始動口２２への遊技球の進入経路が塞がれており、遊技球が第２始動口２２に入ることはない。これに対して、後述する普通図柄抽選に当選することで電動チューリップ２７が閉姿勢から開姿勢へと姿勢変化して、第２始動口２２への遊技球の進入経路が開放され、遊技球が第２始動口２２に入賞可能な状態となる。電動チューリップ２７が開姿勢となった状態では、一対の羽根部材によって遊技球が第２始動口２２へと案内される。つまり、開姿勢となった電動チューリップ２７によって遊技球の入賞がサポートされる。
【００２３】
普通入賞口２４は、遊技球の入賞によって一定個数の遊技球が払い出される入賞口である。なお、普通入賞口２４に遊技球が入賞した場合、特別図柄抽選や普通図柄抽選といった抽選が行われることはないが、第１始動口２１や第２始動口２２に遊技球が入賞した場合よりも多い賞球が払い出される。
【００２４】
液晶表示器５の右側の遊技領域２０へ案内された遊技球の移動経路には、遊技球の入賞又は抽選に係る役物として、ゲート２５及び大入賞口２３が設けられている。
【００２５】
遊技球がゲート２５を通過した場合、賞球の払い出しは行われないものの、普通図柄抽選（電動チューリップ２７の開閉抽選）が行われる。この普通図柄抽選に当選すると、電動チューリップ２７の一対の羽根部材が規定時間だけ開姿勢を維持した後に閉姿勢に戻る動作が規定回数行われる。
【００２６】
ゲート２５の下方に大入賞口２３が設けられている。大入賞口２３は、特別図柄抽選の結果に応じて開放される。大入賞口２３の開口部には、大入賞口２３を開閉するプレートが配置されている。大入賞口２３は、通常はこのプレートが遊技盤２と同一平面を形成する姿勢となっているために遊技球が入らない状態となっている。これに対して、特別図柄抽選に当選するとプレートの上端側が遊技盤２の前面側へ傾倒して、このプレートによって遊技球が大入賞口２３へと案内される。特別図柄抽選に当選すると、所定条件を満たすまで上記プレートが大入賞口２３を開放した状態を維持した後に大入賞口２３を閉塞する動作が、所定回数（例えば１５回）繰り返される。
【００２７】
ここで、賞球の払い出しについて説明する。第１始動口２１、第２始動口２２、大入賞口２３、及び普通入賞口２４に遊技球が入って入賞すると、入賞した場所に応じた個数の賞球が払い出される。例えば、第１始動口２１又は第２始動口２２に遊技球が入賞すると４個の賞球が払い出され、大入賞口２３に遊技球が入賞すると１３個の賞球が払い出され、普通入賞口２４に遊技球が入賞すると１０個の賞球が払い出される。なお、遊技球がゲート２５を通過しても賞球が払い出されることはない。
【００２８】
第２始動口２２の下方には排出口２６が設けられている。第１始動口２１、第２始動口２２、大入賞口２３、又は普通入賞口２４に入らなかった遊技球は、この排出口２６を介して遊技領域２０の外に排出される。
【００２９】
遊技盤２の中央部には、演出のための各種の画像を表示する液晶表示器５及びＥＬ表示器６が設けられている。液晶表示器５及びＥＬ表示器６については、本発明の主要な構成であるため後に詳述する。
【００３０】
液晶表示器５と近接する位置に、各種の演出に用いられる盤ランプ８及び可動役物７が設けられている。盤ランプ８は、遊技者による遊技の進行に応じて発光することによって光による各種の演出を行う。可動役物７は、遊技盤２に対して可動に構成されており、例えば内蔵された発光素子を発光させながら回動することによって各種の演出を行う。
【００３１】
図２は、パチンコ遊技機１の一部を示す概略平面図である。図１及び図２に示されるように、枠部材３には、上記ハンドル３１及びレバー３２の他に、停止ボタン３３、取り出しボタン３４、スピーカ３５、枠ランプ３６、演出ボタン３７、演出キー３８、及び皿３９が設けられている。
【００３２】
皿３９は、上面が開放された容器形状に形成され、枠部材３からパチンコ遊技機１の正面側へ突出するように設けられている。上述のように払い出された賞球（遊技球）は、この皿３９に一時的に溜められる。遊技者がハンドル３１を握ってレバー３２を時計方向へ回転させると、皿３９に溜められた遊技球が発射装置へ供給されて、遊技領域２０へ所定の時間間隔で発射される。この遊技球の発射は、遊技者が停止ボタン３３を操作することによって一時的に停止される。
【００３３】
取り出しボタン３４は、皿３９と近接する位置に設けられている。遊技者が取り出しボタン３４を操作すると、皿３９の下面の一部が開口されて、皿３９に溜まった遊技球が皿３９の下方に配置された不図示の箱へ落下する。なお、この皿３９は、１つの皿によって構成されてもよいし、発射装置へ供給される遊技球及び賞球を溜める上皿と、賞球のみを溜める下皿との２つの皿によって構成されてもよい。
【００３４】
スピーカ３５は、楽曲や音声、効果音等を出力して音による演出を行う。枠ランプ３６は、点灯又は点滅のパターンの変更、発光色の変更、光の照射方向の変更等の光による各種の演出を行う。
【００３５】
演出ボタン３７及び演出キー３８は、それぞれ遊技者が演出に対する操作入力を行うために設けられている。演出ボタン３７は、皿３９の横に設けられており、演出キー３８は、中央キーと中央キーの周辺に配列された複数（ここでは４つ）の周辺キーとを有しており、演出ボタン３７に隣接配置されている。後述するが、遊技者が周辺キーのいずれかを押下することによって、ＥＬ表示器６を遊技盤２に対して移動させることができる。すなわち、遊技者が演出キー３８の周辺キーを操作することによって、ＥＬ表示器６の移動方向（上下左右）を指示することができる。また、遊技者が演出キー３８の周辺キーを操作することによって、液晶表示器５に表示された複数の選択肢の中からいずれかを選択指示することができる。このように、演出キー３８は、遊技者が操作情報を入力するための入力手段として機能する。
【００３６】
図３は、図１における表示器４の拡大図である。表示器４は、上述した特別図柄抽選や普通図柄抽選の結果や保留数に関する情報を表示するものである。図３に示されるように、表示器４は、第１特別図柄表示器４１、第２特別図柄表示器４２、第１特別図柄保留表示器４３、第２特別図柄保留表示器４４、普通図柄表示器４５、普通図柄保留表示器４６、及び遊技状態表示器４７を備えている。
【００３７】
第１特別図柄表示器４１は、第１始動口２１への遊技球の入賞を契機として特別図柄を変動表示してから第１特別図柄抽選の結果を示す特別図柄を停止表示する。第１特別図柄保留表示器４３は、第１特別図柄抽選の保留数を表示する。第２特別図柄表示器４２は、第２始動口２２への遊技球の入賞を契機として特別図柄を変動表示してから第２特別図柄抽選の結果を示す特別図柄を停止表示する。第２特別図柄保留表示器４４は、第２特別図柄抽選の保留数を表示する。普通図柄表示器４５は、遊技球がゲート２５を通過したことを契機として普通図柄を変動表示してから普通図柄抽選の結果を示す普通図柄を停止表示する。普通図柄保留表示器４６は、普通図柄抽選の保留数を表示する。遊技状態表示器４７は、パチンコ遊技機１の電源投入時点における遊技状態（例えば、通常遊技状態、確変遊技状態、時短遊技状態、潜伏遊技状態）を表示する。
【００３８】
ここまでパチンコ遊技機１の概略構成について説明したが、上述したパチンコ遊技機１の構成は単なる一例であって、遊技盤２の盤面構成（遊技球の入賞又は抽選に関する役物の配置）は、適宜変更されてもよい。
【００３９】
ところで、本実施形態におけるパチンコ遊技機１のような、いわゆる右打ち機は、右打ち機に不慣れな遊技者にとっては、遊技球の入賞又は抽選に係る役物がどのように配置され、それぞれどのような機能を有しているのかが分かりにくい場合がある。このことは、従来からあるパチンコ遊技機とは異なる独特な盤面構成を有するパチンコ遊技機の全てについて言えることである。そこで、本実施形態に係るパチンコ遊技機１は、遊技者が遊技球の入賞又は抽選に係る役物の位置や機能を容易に把握できるように、役物の位置や機能といった役物に関する情報（以下、「役物関連情報」とも呼ぶ）をＥＬ表示器６に表示する機能を有している。以下、このような機能を実現するためのパチンコ遊技機１の構成及び動作について説明する。
【００４０】
［液晶表示器５の構成］
液晶表示器５（本発明における固定表示器の一例）は、遊技盤２を支持するパチンコ遊技機１の筐体に固定されている。このため、液晶表示器５は、遊技盤２に対して固定されている。液晶表示器５としては、例えば垂直方向１１の画素数が「６００」で、水平方向１２の画素数が「８００」という画面解像度（垂直画素数×水平画素数）の液晶画面５０（本発明における固定表示器の表示画面の一例）を有する液晶ディスプレイが使用される。液晶表示器５は、後述する画像音響制御部１４０（図１０参照）から出力される画像を液晶画面５０に表示する。液晶画面５０には、例えば、特別図柄抽選の結果を報知するための装飾図柄、予告演出を行うキャラクタやアイテム、特別図柄抽選が保留されていることを示す保留表示画像等の表示オブジェクトが表示される。
【００４１】
図４は、液晶画面５０の概略構成を示す図である。図４に示されるように、液晶画面５０は、多数の画素ユニット５１を有して構成されている。画素ユニット５１は、垂直方向１１に６００個、水平方向１２に８００個並んで配置されているが、説明の便宜上、図４（Ａ）では、実際よりも少なく画素ユニット５１が表記されている。
【００４２】
画素ユニット５１は、カラー液晶素子５２及び光センサ５６を有している。カラー液晶素子５２は、３原色のそれぞれの色を表示するＲ（Red）色液晶素子５３、Ｇ（Green）色液晶素子５４、及びＢ（Blue）色液晶素子５５から構成されている。光センサ５６は、液晶画面５０の前方からの光を検知する受光素子であり、Ｒ色液晶素子５３、Ｇ色液晶素子５４、及びＢ色液晶素子５５と隣接するように配置されている（図４（Ｂ）参照）。このように、光センサ５６は、各カラー液晶素子５２のそれぞれに近接配置されている。
【００４３】
光センサ５６が光を受光すると、受光した光の輝度に応じた電気信号が生成される。液晶画面５０が有する各光センサ５６は、後述する演出制御部１３０（図１０参照）に接続されており、各光センサ５６で生成された電気信号は演出制御部１３０に出力される。後の詳述するが、ＥＬ表示器６は、遊技盤２や液晶画面５０に対して移動可能に構成されている。検出手段として機能する演出制御部１３０のＣＰＵ１３１は、各光センサ５６から出力される電気信号に基づいて、ＥＬ表示器６のＥＬ画面６０の位置を検出する。具体的には、後述するＥＬ表示器６のフレーム６１（図６参照）は、液晶表示器５の液晶画面５０と対向する面が黒色に形成されており、液晶画面５０においてフレーム６１によって覆われた領域に設けられている光センサ５６からは、フレーム６１によって覆われていない領域に設けられている光センサ５６から出力される電気信号とは異なるレベルの電気信号が出力される。図５には、液晶表示器５の液晶画面５０に対してＥＬ表示器６のＥＬ画面６０が左下方に位置したときにフレーム６１によって覆われた領域１６（ハッチングされた領域）が示されている。演出制御部１３０は、各光センサ５６から出力される電気信号のレベルの違いに基づいて、ＥＬ表示器６の位置を検出することができる。
【００４４】
図４（Ｂ）に示されるように、画素ユニット５１には、画素ユニット５１と隣接する他の画素ユニットとを区画する外壁５７、及び画素ユニット５１を構成するカラー液晶素子５２と光センサ５６とを区画する内壁５８が設けられている。外壁５７は、カラー液晶素子５２及び光センサ５６の外側を囲み、且つ画素ユニット５１の基部から液晶画面５０の前方へ向けて突出するように形成されている。内壁５８は、カラー液晶素子５２と光センサ５６との間に画素ユニット５１の基部から液晶画面５０の前方へ向けて突出するように形成されている。この外壁５７及び内壁５８が設けられていることにより、光センサ５６に対して近接するカラー液晶素子５２から光が直接入射することが防止されるので、液晶画面５０の前方からの光を各光センサ５６で正確に検知して、ＥＬ表示器６の位置を精度良く検出することができる。
【００４５】
［ＥＬ表示器６の構成］
ＥＬ表示器６（本発明における可動表示器の一例）は、液晶表示器５の前面側に液晶画面５０と所定の間隔を隔てて配置されており、後述する駆動機構１０を介して伝達される第１ステッピングモータ２９及び第２ステッピングモータ３０の駆動力を受けて液晶画面５０の表面に沿って上下左右に移動可能である。本実施形態におけるＥＬ表示器６は、透明なＥＬ画面６０（本発明における可動表示器の表示画面の一例）に画像を単色表示する透明ＥＬディスプレイである。ＥＬ画面６０は、樹脂製のフレーム６１に形成された開口部に嵌め込まれることによってフレーム６１に固定されている。ＥＬ画面６０としては、例えば垂直方向１１の画素数が「２４０」で、水平方向１２の画素数が「３２０」という画面解像度を有するものが使用される。したがって、液晶表示器５及びＥＬ表示器６は、ＥＬ画面６０よりも液晶画面５０の方が画面解像度が大きくなるように構成されている。
【００４６】
ＥＬ表示器６として透過型のＥＬディスプレイが使用されるので、ＥＬ画面６０に画像が表示された状態であっても、遊技者がＥＬ表示器６の裏面側に位置するオブジェクト（液晶画面５０に表示されたキャラクタやアイテムといった表示オブジェクト、可動役物７等）をＥＬ画面６０を通して視認することができる。なお、ＥＬ表示器６のフレーム６１の裏面（液晶画面５０と対向する面）は、上述のように、黒色に形成されている。
【００４７】
［駆動機構１０の構成及び動作］
次に、図６〜図９を参照しつつ、ＥＬ表示器６を移動させる駆動機構１０について説明する。図６は、駆動機構１０の構成を示す斜視図であり、液晶画面５０に表示された表示オブジェクトをＥＬ画面６０を通して視認可能な位置にＥＬ表示器６が位置した状態を示している。図７は、駆動機構１０の構成を示す斜視図であり、可動役物７の一部をＥＬ画面６０を通して視認可能な位置にＥＬ表示器６が位置した状態を示している。図８は、駆動機構１０の分解斜視図である。図９は、ＥＬ表示器６の拡大斜視図である。
【００４８】
駆動機構１０は、ＥＬ表示器６を液晶表示器５の液晶画面５０に沿って上下左右に移動させるものである。本実施形態においては、駆動機構１０は、第１ステッピングモータ２９（図１０参照）からの駆動力をＥＬ表示器６に伝達して、ＥＬ表示器６を液晶画面５０に沿って垂直方向１１（図１参照）に移動させる昇降駆動機構２００と、第２ステッピングモータ３０（図１０参照）からの駆動力をＥＬ表示器６に伝達して、ＥＬ表示器６を液晶画面５０に沿って水平方向１２（図１参照）に移動させるスライド駆動機構２２０とから構成されている。
【００４９】
昇降駆動機構２００は、大別して、第１支持部材２０１、ガイド部材２０２、ガイド部材２０３、第１回転軸２０４、第２回転軸２０５、第１駆動ベルト２０６、及び第２駆動ベルト２０７を備えている。
【００５０】
第１支持部材２０１は、水平方向１２を長手方向とする薄い板状部材である。この第１支持部材２０１は、図１に示されるように、液晶表示器５の液晶画面５０の手前に配置されるため、液晶画面５０に表示された画像の視認性の低下を最低限に抑えるために、透明な樹脂で形成されている。ＥＬ表示器６のフレーム６１には、水平方向１２に貫通する挿通孔６２（図８及び図９参照）が形成されており、第１支持部材２０１は、挿通孔６２に挿通されることによってフレーム６１を水平方向１２へ移動可能に支持する。
【００５１】
図９に示されるように、第１支持部材２０１は、その一端側に連結部材１９４が固定されると共に、その他端側に連結部材１９７が固定されている。連結部材１９４は、ガイド部材２０２（図８参照）が挿通される円筒状の挿通孔１９５と、第１駆動ベルト２０６（図８参照）を挟持する挟持片１９６とを有している。ガイド部材２０２は、断面外形が円形の棒状部材であり、その長手方向が垂直方向１１と一致するようにパチンコ遊技機１の筐体に固定されている。ガイド部材２０２の外径寸法は、挿通孔１９５の内径寸法よりも若干小さく設定されており、連結部材１９４は、挿通孔１９５にガイド部材２０２が挿通されることによって、垂直方向１１へ移動可能にガイド部材２０２によって支持される。
【００５２】
連結部材１９７は、連結部材１９４と同形状の部材であって、ガイド部材２０３（図８参照）が挿通される挿通孔１９８と、第２駆動ベルト２０７（図８参照）を挟持する挟持片１９９とを有している。ガイド部材２０３は、ガイド部材２０２と同形状の部材であって、ガイド部材２０２と所定の間隔を隔てて対向するようにパチンコ遊技機１の筐体に固定されている。連結部材１９７は、挿通孔１９８にガイド部材２０３が挿通されることによって、垂直方向１１へ移動可能にガイド部材２０３によって支持される。
【００５３】
このように連結部材１９４及び連結部材１９７がガイド部材２０２及びガイド部材２０３に支持されているので、第１支持部材２０１は、垂直方向１１へスライド可能である。
【００５４】
ガイド部材２０２，２０３の上側に第１回転軸２０４が設けられると共に、ガイド部材２０２，２０３の下側に第２回転軸２０５が設けられている（図６及び図７参照）。第１回転軸２０４及び第２回転軸２０５は、それぞれ軸方向が水平方向１２と一致するように、不図示の軸受けに回転可能に支持されている。図８に示されるように、第１回転軸２０４は、その一端側にギヤ２１２及びプーリ２０８が固定されると共に、その他端にプーリ２０９が固定されている。第２回転軸２０５は、その一端にプーリ２１０が固定されると共に、その他端にプーリ２１１が固定されている。
【００５５】
プーリ２０８とプーリ２１０との間には、内側に歯が形成された無端環状の第１駆動ベルト２０６が張り渡されている。プーリ２０９とプーリ２１１との間には、第１駆動ベルト２０６と同じ構成の第２駆動ベルト２０７が張り渡されている。
【００５６】
第１回転軸２０４のギヤ２１２（図６参照）には、第１ステッピングモータ２９（図１０参照）の駆動力が入力される。これにより、ギヤ２１２が固定された第１回転軸２０４が回転する。プーリ２０８〜２１１の外周には、第１駆動ベルト２０６及び第２駆動ベルト２０７の歯と噛合する歯が形成されており、第１回転軸２０４の回転力がプーリ２０８，２０９を介して第１駆動ベルト２０６及び第２駆動ベルト２０７に伝達される。その結果、第１駆動ベルト２０６及び第２駆動ベルト２０７が周運動すると共に、第１回転軸２０４及び第２回転軸２０５が同期回転する。この第１駆動ベルト２０６及び第２駆動ベルト２０７には、第１支持部材２０１の両端に固定された連結部材１９４，１９７が挟持片１９６，１９９によって固定されているので、第１ステッピングモータ２９の駆動力が第１支持部材２０１にも伝達されて、第１支持部材２０１に支持されたＥＬ表示器６が垂直方向１１へ移動する。なお、第１ステッピングモータ２９の回転方向を正回転又は逆回転に切り換えることで、垂直方向１１におけるＥＬ表示器６の移動方向を切り換えることができる。
【００５７】
一方、スライド駆動機構２２０は、大別して、第２支持部材２２１、ガイド部材２２２、ガイド部材２２３、第１回転軸２２４、第２回転軸２２５、第１駆動ベルト２２６、及び第２駆動ベルト２２７を備えている。
【００５８】
第２支持部材２２１は、垂直方向１１を長手方向とする薄い板状部材である。この第２支持部材２２１は、第１支持部材２０１と同様に、透明な樹脂で形成されている。ＥＬ表示器６のフレーム６１には、垂直方向１１に貫通する挿通孔６３（図８及び図９参照）が形成されており、第２支持部材２２１は、挿通孔６３に挿通されることによってフレーム６１を垂直方向１１へ移動可能に支持する。
【００５９】
図９に示されるように、第２支持部材２２１は、その一端側に連結部材２１４が固定されると共に、その他端側に連結部材２１７が固定されている。連結部材２１４は、ガイド部材２２２（図８参照）が挿通される円筒状の挿通孔２１５と、第２駆動ベルト２２７（図８参照）を挟持する挟持片２１６とを有している。ガイド部材２２２は、断面外形が円形の棒状部材であり、その長手方向が水平方向１２と一致するように、パチンコ遊技機１の筐体に固定されている。ガイド部材２２２の外径寸法は、挿通孔２１５の内径寸法よりも若干小さく設定されており、連結部材２１４は、挿通孔２１５にガイド部材２２２が挿通されることによって、水平方向１２へ移動可能にガイド部材２２２によって支持される。
【００６０】
連結部材２１７は、連結部材２１４と同形状の部材であって、ガイド部材２２３（図８参照）が挿通される挿通孔２１８と、第１駆動ベルト２２６（図８参照）を挟持する挟持片２１９とを有している。ガイド部材２２３は、ガイド部材２２２と同形状の部材であって、ガイド部材２２２と所定の間隔を隔てて対向するようにパチンコ遊技機１の筐体に固定されている。連結部材２１７は、挿通孔２１８にガイド部材２２３が挿通されることによって、水平方向１２へ移動可能にガイド部材２２３によって支持される。
【００６１】
このように連結部材２１４及び連結部材２１７がガイド部材２２２及びガイド部材２２３に支持されているので、第２支持部材２２１は、水平方向１２へスライド可能である。
【００６２】
水平方向１２におけるガイド部材２２２，２２３の外側に、第１回転軸２２４及び第２回転軸２２５が設けられている（図６及び図７参照）。第１回転軸２２４及び第２回転軸２２５は、それぞれ軸方向が垂直方向１１と一致するように、不図示の軸受けに回転可能に支持されている。図８に示されるように、第１回転軸２２４は、その一端側にギヤ２３２及びプーリ２２８が固定されると共に、その他端にプーリ２２９が固定されている。第２回転軸２２５は、その一端にプーリ２３０が固定されると共に、その他端にプーリ２３１が固定されている。
【００６３】
プーリ２２８とプーリ２３０との間には、内側に歯が形成された無端環状の第１駆動ベルト２２６が張り渡されている。プーリ２２９とプーリ２３１との間には、第１駆動ベルト２２６と同じ構成の第２駆動ベルト２２７が張り渡されている。
【００６４】
第１回転軸２２４のギヤ２３２（図６参照）には、第２ステッピングモータ３０（図１０参照）からの駆動力が入力される。これにより、ギヤ２３２が固定された第１回転軸２２４が回転する。プーリ２２８〜２３１の外周には、第１駆動ベルト２２６及び第２駆動ベルト２２７の歯と噛合する歯が形成されており、第１回転軸２２４の回転力がプーリ２２８，２２９を介して第１駆動ベルト２２６及び第２駆動ベルト２２７に伝達される。その結果、第１駆動ベルト２２６及び第２駆動ベルト２２７が周運動すると共に、第１回転軸２２４及び第２回転軸２２５が同期回転する。この第１駆動ベルト２２６及び第２駆動ベルト２２７には、第２支持部材２２１の両端に固定された連結部材２１４，２１７が挟持片２１６，２１９によって固定されているので、第２ステッピングモータ３０の駆動力が第２支持部材２２１にも伝達されて、第２支持部材２２１に支持されたＥＬ表示器６が水平方向１２へ移動する。なお、第２ステッピングモータ３０の回転方向を正回転又は逆回転に切り換えることで、水平方向１２におけるＥＬ表示器６の移動方向を切り換えることができる。
【００６５】
このように、ＥＬ表示器６は、昇降駆動機構２００によって垂直方向１１へ移動し、スライド駆動機構２２０によって水平方向１２へ移動する。なお、第１支持部材２０１及び第２支持部材２２１を除く駆動機構１０の各構成部材は、液晶表示器５等が設けられた領域と遊技領域２０とを区画する化粧カバー１７（図１参照）によって覆われているために、図１には現れていない。
【００６６】
［パチンコ遊技機１の制御装置の構成］
遊技盤２の裏面側（図１の紙面奥側）には、賞球として払い出される遊技球を溜めておく球タンクの他に、パチンコ遊技機１の動作を制御する制御装置が設けられている。図には示されていないが、この制御装置は、メイン基板及びサブ基板を有している。メイン基板は、内部抽選や当選の判定等を行う遊技制御部１００として機能するメイン制御基板、賞球の払い出しを制御する払出制御部１２０として機能する払出制御基板等から構成されている。このメイン基板は、メイン基板が改変された場合にその痕跡が残るように、透明部材で構成されたケース内に密閉状態で配置されている。一方のサブ基板は、演出を統括的に制御する演出制御部１３０として機能する演出制御基板、画像や音による演出を制御する画像音響制御部１４０として機能する画像音響制御基板、及び各種のランプ（枠ランプ３６や盤ランプ８）や可動役物７による演出を制御するランプ制御部１５０として機能するランプ制御基板等から構成されている。
【００６７】
以下、図１０を参照しつつ、パチンコ遊技機１の制御装置の構成について説明する。ここで、図１０は、パチンコ遊技機１の制御装置の構成例を示すブロック図である。図１０に示されるように、パチンコ遊技機１の制御装置は、遊技制御部１００、払出制御部１２０、演出制御部１３０、画像音響制御部１４０、及びランプ制御部１５０を備えている。
【００６８】
［遊技制御部１００の構成］
遊技制御部１００は、ＣＰＵ１０１、ＲＯＭ１０２、及びＲＡＭ１０３を備えている。ＣＰＵ１０１は、ＲＯＭ１０２に記憶されたプログラムに基づいて、内部抽選や当選の判定等の払い出し賞球数に関連する各種の演算処理を行う。ＲＡＭ１０３は、ＣＰＵ１０１が上記プログラムを実行する際に用いる各種データを一時的に記憶する記憶領域又はデータ処理などの作業領域として使用される。この遊技制御部１００の主な機能は以下の通りである。
【００６９】
遊技制御部１００は、第１始動口２１又は第２始動口２２に遊技球が入賞すると特別図柄抽選を実行し、特別図柄抽選での当選か否かを示す判定結果データを演出制御部１３０へ送信する。また、遊技制御部１００は、特別図柄抽選に応じて決定した当選確率の変動設定（例えば３００分の１から３０分の１への変動設定）を示すデータ、特別図柄変動時間の短縮設定を示すデータ、普通図柄抽選に応じて決定した普通図柄変動時間の短縮設定を示すデータ等を演出制御部１３０へ送信する。
【００７０】
遊技制御部１００は、電動チューリップ２７の羽根部材が開姿勢となる開時間、羽根部材が開閉する回数、及び羽根部材が閉じてから次に開くまでの開閉時間間隔を制御する。また、遊技制御部１００は、遊技球が第１始動口２１又は第２始動口２２へ入賞したことによる特別図柄抽選の保留数、及び遊技球がゲート２５を通過したことによる普通図柄抽選の保留数を管理する。
【００７１】
遊技制御部１００は、特別図柄抽選の結果に応じて、大入賞口２３の開閉動作を制御する。例えば、所定条件（例えば、大入賞口２３が開いてから３０秒が経過、大入賞口２３への１０個の遊技球の入賞、又は大入賞口２３の開放累積時間が１．８秒以内）を満たすまで、大入賞口２３のプレートが突出傾倒して大入賞口２３の開状態を維持するラウンドを所定回数（例えば１５回）繰り返す。
【００７２】
遊技制御部１００は、第１始動口２１、第２始動口２２、大入賞口２３、及び普通入賞口２４に遊技球が入賞すると、入賞した場所に応じた所定数の賞球の払い出しを払出制御部１２０に指示する。払出制御部１２０が遊技制御部１００の指示に応じて賞球の払い出しを行った場合、払い出された賞球の個数に関する情報が払出制御部１２０から遊技制御部１００へ送られる。遊技制御部１００は、払出制御部１２０から取得した情報に基づいて、払い出す賞球の個数を管理する。
【００７３】
これらの機能を実現するために、遊技制御部１００には、第１始動口スイッチ（ＳＷ）１１１、第２始動口スイッチ（ＳＷ）１１２、電動チューリップ開閉部１１３、ゲートスイッチ（ＳＷ）１１４、大入賞口スイッチ（ＳＷ）１１５、大入賞口制御部１１６、及び普通入賞口スイッチ（ＳＷ）１１７が接続されている。
【００７４】
第１始動口スイッチ１１１は、第１始動口２１に遊技球が入賞したことを検出して、その検出信号を遊技制御部１００へ送る。第２始動口スイッチ１１２は、第２始動口２２に遊技球が入賞したことを検出して、その検出信号を遊技制御部１００へ送る。電動チューリップ開閉部１１３は、電動チューリップ２７の一対の羽根部材に駆動伝達可能に連結された電動ソレノイドを有している。遊技制御部１００からの制御信号に応じて電動ソレノイドが作動して、電動チューリップ２７の一対の羽根部材が姿勢変化する。ゲートスイッチ１１４は、ゲート２５を遊技球が通過したことを検出して、その検出信号を遊技制御部１００へ送る。大入賞口スイッチ１１５は、大入賞口２３に遊技球が入賞したことを検出して、その検出信号を遊技制御部１００へ送る。大入賞口制御部１１６は、大入賞口２３のプレートに駆動伝達可能に連結された電動ソレノイドを有している。遊技制御部１００からの制御信号に応じて電動ソレノイドが作動して、大入賞口２３が開閉される。普通入賞口スイッチ１１７は、普通入賞口２４に遊技球が入賞したことを検出して、その検出信号を遊技制御部１００へ送る。
【００７５】
また、遊技制御部１００には、表示器４（図３参照）が接続されている。遊技制御部１００は、第１特別図柄抽選の結果を第１特別図柄表示器４１に表示させ、第１特別図柄抽選を保留している保留数を第１特別図柄保留表示器４３に表示させる。遊技制御部１００は、第２特別図柄抽選の結果を第２特別図柄表示器４２に表示させ、第２特別図柄抽選の保留数を第２特別図柄保留表示器４４に表示させる。遊技制御部１００は、普通図柄抽選の結果を普通図柄表示器４５に表示させ、普通図柄抽選の保留数を普通図柄保留表示器４６に表示させる。遊技制御部１００は、パチンコ遊技機１の遊技状態を遊技状態表示器４７に表示させる。
【００７６】
［払出制御部１２０の構成］
払出制御部１２０は、ＣＰＵ１２１、ＲＯＭ１２２、及びＲＡＭ１２３を備えている。ＣＰＵ１２１は、ＲＯＭ１２２に記憶されたプログラムに基づいて、賞球の払い出しを制御する際の演算処理を行う。ＲＡＭ１２３は、ＣＰＵ１２１が上記プログラムを実行する際に用いる各種データを一時的に記憶する記憶領域又はデータ処理などの作業領域として使用される。
【００７７】
払出制御部１２０は、遊技制御部１００からの指示に基づいて、遊技球が入賞した場所に応じた所定数の賞球が皿３９へ払い出されるように払出モータ１２５を制御する。ここで、払出モータ１２５は、遊技盤２の裏面側に配置された球タンクから遊技球を送り出すモータである。
【００７８】
払出制御部１２０には、払出モータ１２５の他に、払出球検出部１２６、球有り検出部１２７、及び満タン検出部１２８が接続されている。払出球検出部１２６は、払出モータ１２５により球タンクから皿３９へ払い出された賞球の数を検出する。球有り検出部１２７は、球タンクにおける遊技球の有無を検出する。満タン検出部１２８は、皿３９が遊技球で満タンになったことを検出する。払出制御部１２０は、払出球検出部１２６、球有り検出部１２７、及び満タン検出部１２８の検出結果に応じて所定の処理を実行する。
【００７９】
［演出制御部１３０の構成］
演出制御部１３０は、ＣＰＵ１３１、ＲＯＭ１３２、ＲＡＭ１３３、及びＲＴＣ（リアルタイムクロック）１３４を備えている。ＣＰＵ１３１は、ＲＯＭ１３２に記憶されたプログラムに基づいて、演出を制御する際の演算処理を行う。ＲＡＭ１３３は、ＣＰＵ１３１が上記プログラムを実行する際に用いる各種データを一時的に記憶する記憶領域又はデータ処理などの作業領域として使用される。ＲＴＣ１３４は、現時点の日時を計測する。
【００８０】
演出制御部１３０は、遊技制御部１００から送られる特別図柄抽選結果等を示すデータに基づいて、演出内容を設定する。その際、演出ボタン３７又は演出キー３８からの操作情報の入力を受け付けて、その操作情報に応じた演出内容を設定する場合もある。さらに、特別図柄抽選の当選確率の変動設定を示すデータを遊技制御部１００から受信した場合、特別図柄抽選の変動時間の短縮設定を示すデータを遊技制御部１００から受信した場合、及び普通図柄抽選の変動時間の短縮設定を示すデータを遊技制御部１００から受信した場合には、これらのデータに応じて演出内容を設定する。演出制御部１３０は、このようにして設定した演出内容の演出の実行を指示するコマンドを画像音響制御部１４０及びランプ制御部１５０へ送信する。
【００８１】
演出制御部１３０には、液晶表示器５が備える光センサ５６が接続されている。演出制御部１３０のＣＰＵ１３１は、各光センサ５６から入力される電気信号に基づいて、ＥＬ表示器６のＥＬ画面６０の位置を検出する。
【００８２】
［ランプ制御部１５０の構成］
ランプ制御部１５０は、ＣＰＵ１５１、ＲＯＭ１５２、及びＲＡＭ１５３を備えている。ＣＰＵ１５１は、盤ランプ８や枠ランプ３６の発光、及び可動役物７の動作を制御する際の演算処理を行う。ＲＯＭ１５２には、ＣＰＵ１５１によって実行されるプログラムや各種データ等が記憶されている。ＲＡＭ１５３は、ＣＰＵ１５１が上記プログラムを実行する際に用いる各種データを一時的に記憶する記憶領域又はデータ処理などの作業領域として使用される。
【００８３】
ランプ制御部１５０のＣＰＵ１５１は、ＲＯＭ１５２に記憶されている発光パターンデータの中から、演出制御部１３０から送信されたコマンドに対応する発光パターンデータを読み出して、盤ランプ８、枠ランプ３６、及び可動役物７の発光を制御する。また、ＣＰＵ１５１は、演出制御部１３０から送信されたコマンドにＥＬ表示器６の移動が可能な状態になったことを示す情報が含まれている場合に、遊技者に対して演出キー３８の操作を促すために、演出キー３８に内蔵されているボタンランプ４０の発光を制御する。また、ＣＰＵ１５１は、ＲＯＭ１５２に記憶されている動作パターンデータの中から、演出制御部１３０から送信されたコマンドに対応する動作パターンデータを読み出して、可動役物７を動作させるモータ（不図示）の駆動を制御する。
【００８４】
ランプ制御部１５０は、演出制御部１３０から送信されたコマンドに演出キー３８の操作情報が含まれていた場合、その操作情報に基づいて、第１ステッピングモータ２９及び第２ステッピングモータ３０の駆動を制御する。第１ステッピングモータ２９は、その回転軸が昇降駆動機構２００のギヤ２１２（図６参照）と噛合するように配置されており、第１ステッピングモータ２９の駆動力がギヤ２１２に入力されることによって、ＥＬ表示器６が垂直方向１１へ移動する。一方、第２ステッピングモータ３０は、その回転軸がスライド駆動機構２２０のギヤ２３２（図６参照）と噛合するように配置されており、第２ステッピングモータ３０の駆動力がギヤ２３２に入力されることによって、ＥＬ表示器６が水平方向１２へ移動する。本実施形態においては、第１ステッピングモータ２９、第２ステッピングモータ３０、昇降駆動機構２００、スライド駆動機構２２０、及びステッピングモータ２９，３０を動作させるＣＰＵ１５１が、ＥＬ表示器６を移動させる駆動手段として機能する。
【００８５】
［画像音響制御部１４０の構成］
図１１は、画像音響制御部１４０の構成を例示するブロック図である。画像音響制御部１４０は、図１１に示されるように、各種演出の実行を指示するための制御信号を生成するＣＰＵ１４１と、ＣＰＵ１４１によって生成された制御信号に応じた演出を表現するための画像を生成するＶＤＰ（Video Display Processor）１４２と、ＣＰＵ１４１によって生成された制御信号に応じた演出を実現するための音響データを生成する音響ＤＳＰ（Digital Signal Processor）１４３とを備えている。
【００８６】
ＣＰＵ１４１には、制御用ＲＯＭ１４４、及びＲＡＭ１４５が接続されている。制御用ＲＯＭ１４４には、ＣＰＵ１４１によって実行されるプログラムや各種データ等が記憶されている。ＲＡＭ１４５は、ＣＰＵ１４１が上記プログラムを実行する際に用いる各種データを一時的に記憶する記憶領域又はデータ処理などの作業領域として使用される。ＣＰＵ１４１は、演出制御部１３０から受信したコマンドに基づいて、ＶＤＰ１４２及び音響ＤＳＰ１４３の動作を制御するための制御信号を生成して、その制御信号をＶＤＰ１４２及び音響ＤＳＰ１４３に出力する。
【００８７】
音響ＤＳＰ１４３には、音響用ＲＯＭ１４６、及びＳＤＲＡＭ１４７が接続されている。音響用ＲＯＭ１４６には、スピーカ３５から出力させる楽曲や音声、効果音等に関する各種音響データが記憶されている。ＳＤＲＡＭ１４７は、音響ＤＳＰ１４３によるデータ処理等の作業領域として使用される。
【００８８】
音響ＤＳＰ１４３は、ＣＰＵ１４１によって生成された制御信号に対応する音響データを音響用ＲＯＭ１４６からＳＤＲＡＭ１４７に読み出し、その音響データに対して必要なデータ処理を行う。そして、液晶画面５０やＥＬ画面６０による画像表示と同期させて、又は画像表示とは非同期に、データ処理後の音響データを不図示の増幅器を介してスピーカ３５に出力する。
【００８９】
ＶＤＰ１４２は、ＣＰＵ１４１から入力された制御信号に基づいて画像を描画して、液晶表示器５及びＥＬ表示器６に出力する表示制御手段として機能する。このＶＤＰ１４２は、ＣＰＵ Ｉ／Ｆ１４２１、デコーダ１４２２、ＲＯＭ Ｉ／Ｆ１４２３、描画エンジン１４２４、ＶＲＡＭ＿ＲＳ１４２５、ＶＲＡＭ＿ＦＢ１４２６、及び出力回路１４２７を備えている。本実施形態では、描画エンジン１４２４が本発明の描画手段として機能し、出力回路１４２７が本発明の出力手段として機能する。
【００９０】
ＶＤＰ１４２には、内部バス１４２８及び内部バス１４２９が設けられている。ＣＰＵ Ｉ／Ｆ１４２１、デコーダ１４２２、ＲＯＭ Ｉ／Ｆ１４２３、描画エンジン１４２４、及びＶＲＡＭ＿ＲＳ１４２５は、内部バス１４２８を介して通信可能に接続されている。また、描画エンジン１４２４、ＶＲＡＭ＿ＦＢ１４２６、及び出力回路１４２７は、内部バス１４２９を介して通信可能に接続されている。
【００９１】
ＣＰＵ Ｉ／Ｆ１４２１は、ＶＤＰ１４２とＣＰＵ１４１とを通信可能に接続するインターフェースである。ＣＰＵ１４１によって生成された制御信号は、ＣＰＵ Ｉ／Ｆ１４２１を介してＶＤＰ１４２に入力される。ＲＯＭ Ｉ／Ｆ１４２３は、画像用ＲＯＭ１４８から画像データを読み出すためのインターフェースである。
【００９２】
画像用ＲＯＭ１４８には、液晶表示器５及びＥＬ表示器６に表示される演出画像を構成する素材となる素材データが記憶されている。具体的には、３つの数字からなる装飾図柄や期待度の大きさに応じた演出を行うためのキャラクタやアイテム等に関する画像データ、液晶表示器５に背景画面として表示される背景画像に関する画像データ、「リーチ」、「激アツ」等の文字に関する画像データといった、いわゆるスプライト機能を実現するための素材データが記憶されている。また、画像用ＲＯＭ１４８には、遊技領域２０に配置された普通入賞口２４、第１始動口２１、大入賞口２３、ゲート２５、電動チューリップ２７、及び第２始動口２２といった遊技球の入賞又は抽選に係る役物に関する役物関連情報をＥＬ表示器６に表示するための素材データが記憶されている。この素材データは、各役物の機能を示す文字に関する画像データや、役物自体の絵に関する画像データ、ＥＬ表示器６から役物へ向いた矢印に関する画像データ等である。
【００９３】
ＶＲＡＭ＿ＲＳ１４２５は、画像用ＲＯＭ１４８から読み出された素材データを一時的に記憶する記憶領域又は描画エンジン１４２４が実行する描画処理などの作業領域として使用されるメモリである。なお、例えばＭＰＥＧ２（Moving Picture Experts Group phase 2）方式で符号化された画像データが画像用ＲＯＭ１４８から読み出される場合には、デコーダ１４２２によって復号された画像データが素材データとしてＶＲＡＭ＿ＲＳ１４２５に格納される。ＶＲＡＭ＿ＲＳ１４２５に格納された素材データは、描画エンジン１４２４が行う描画処理に使用される。このため、描画処理で頻繁に使用される素材データをＶＲＡＭ＿ＲＳ１４２５にバッファリングしておくことによって、描画エンジン１４２４による描画処理を効率良く実行することができる。
【００９４】
描画エンジン１４２４は、ＣＰＵ１４１からの制御信号に基づいて、液晶表示器５の液晶画面５０及びＥＬ表示器６のＥＬ画面６０に表示すべき画像をＶＲＡＭ＿ＦＢ１４２６に描画する。具体的には、ＣＰＵ１４１からの制御信号、及びＶＲＡＭ＿ＲＳ１４２５に格納された素材データに基づいて、各ピクセルの色を計算し、計算した色の値をＶＲＡＭ＿ＦＢ１４２６に書き込むレンダリング処理を行う。ＶＲＡＭ＿ＦＢ１４２６に描画された画像は、１フレーム分の画像に対応する複数の画素データから構成されており、各画素データは、Ｒ（Red）、Ｇ（Green）、Ｂ（Blue）を示す色情報と、画素の透過度を示すアルファ値とを含んでいる。出力回路１４２７は、ＶＲＡＭ＿ＦＢ１４２６に描画された画像を所定の表示タイミングで液晶表示器５及びＥＬ表示器６に出力して、液晶画面５０及びＥＬ画面６０に画像を表示させる。なお、液晶表示器５のみを使用する場合には、描画エンジン１４２４は、液晶画面５０に表示するための画像のみをＶＲＡＭ＿ＦＢ１４２６に描画して、出力回路１４２７がその画像を液晶表示器５に出力する。
【００９５】
［演出制御部１３０によるＥＬ制御処理］
以下、図１２〜図１８を参照しつつ、ＥＬ表示器６に役物関連情報を表示するために演出制御部１３０で行われるＥＬ制御処理について説明する。ここで、図１２は、演出制御部１３０によって実行されるＥＬ制御処理の一例を示すフローチャートである。図１３は、普通入賞口２４に関する役物関連情報を表示するＥＬ表示器６について説明するための説明図である。図１４は、第１始動口２１に関する役物関連情報を表示するＥＬ表示器６について説明するための説明図である。図１５は、大入賞口２３に関する役物関連情報を表示するＥＬ表示器６について説明するための説明図である。図１６は、ゲート２５に関する役物関連情報を表示するＥＬ表示器６について説明するための説明図である。図１７は、電動チューリップ２７に関する役物関連情報を表示するＥＬ表示器６について説明するための説明図である。図１８は、第２始動口２２に関する役物関連情報を表示するＥＬ表示器６について説明するための説明図である。なお、図１２以降のフローチャートに基づいて説明する演出制御部１３０で行われる処理は、ＲＯＭ１３２に記憶されているプログラムに基づいてＣＰＵ１３１が発行する命令に従って行われる。
【００９６】
第１始動口２１に遊技球が入賞すると、特別図柄抽選の結果を示す情報、特別図柄の変動パターン（変動時間）を示す情報等を含む変動開始コマンドが遊技制御部１００から演出制御部１３０へ送信される。図１２に示されるように、演出制御部１３０のＣＰＵ１３１は、遊技者による遊技が行われていない客待ち状態のときに遊技制御部１００からの変動開始コマンドを受信したか否かに基づいて、客待ち状態が解除されたか否かを判定する（ステップＳ１１）。客待ち状態が解除されなかったとＣＰＵ１３１が判定した場合（ステップＳ１１：ＮＯ）、待機状態となる。
【００９７】
ＣＰＵ１３１は、客待ち状態が解除されたと判定した場合（ステップＳ１１：ＹＥＳ）、すなわち遊技者による遊技が開始されて第１始動口２１に遊技球が入賞した場合、例えば「役物のガイダンスを中止しますか？」といった役物関連情報のガイダンスを中止するか否かの選択を促すメッセージを液晶表示器５に表示する処理を画像音響制御部１４０に実行させる（ステップＳ１２）。そして、ＣＰＵ１３１は、演出ボタン３７の操作の有無に基づいて、ガイダンスの中止命令が入力されたか否かを判定する（ステップＳ１３）。演出ボタン３７が操作されてガイダンスの中止命令が入力されたとＣＰＵ１３１が判定した場合（ステップＳ１３：ＹＥＳ）、ＥＬ制御処理が終了する。
【００９８】
ＣＰＵ１３１は、演出ボタン３７が操作されずガイダンスの中止命令が入力されなかったと判定した場合（ステップＳ１３：ＮＯ）、遊技球の入賞又は抽選に係る役物のガイダンスが必要であると判断して、役物ナンバーＮ（Ｎは整数）を「１」加算する（ステップＳ１４）。この役物ナンバーＮを示す情報は、ＲＡＭ１３３に記憶されている。ここで、役物ナンバーＮは、遊技領域２０に配置された役物を特定するための情報であり、各役物のそれぞれに異なる役物ナンバーＮが割り当てられている。本実施形態では、遊技領域２０に普通入賞口２４、第１始動口２１、大入賞口２３、ゲート２５、電動チューリップ２７、及び第２始動口２２が設けられており、普通入賞口２４に対して役物ナンバー「１」が割り当てられ、第１始動口２１に対して役物ナンバー「２」が割り当てられ、大入賞口２３に対して役物ナンバー「３」が割り当てられ、ゲート２５に対して役物ナンバー「４」が割り当てられ、電動チューリップ２７に対して役物ナンバー「５」が割り当てられ、第２始動口２２に対して役物ナンバー「６」が割り当てられている。ステップＳ１４の処理が行われることにより、遊技領域２０に配置された６個の役物のいずれかが選択される。
【００９９】
ステップＳ１４の処理に続いて、ＣＰＵ１３１は、ステップＳ１４の処理によって更新された役物ナンバー「Ｎ」に対応する位置へＥＬ表示器６を移動させる（ステップＳ１５）。具体的には、ＲＯＭ１３２には、役物ナンバー「１」から役物ナンバー「６」の６つの役物ナンバーＮのそれぞれに対応するＥＬ表示器６の位置を示す位置情報が記憶されており、ＣＰＵ１３１は、現在設定されている役物ナンバーＮに対応するＥＬ表示器６の位置情報をＲＯＭ１３２から読み出し、読み出した位置情報、及び光センサ５６の検知結果に基づいて検出された現在のＥＬ表示器６の位置を示す位置情報を含む移動指示コマンドをランプ制御部１５０へ送信する。ここで、移動指示コマンドは、役物ナンバーＮに対応する所定位置へＥＬ表示器６を移動させる処理の実行を指示するコマンドである。この移動指示コマンドを受信したランプ制御部１５０のＣＰＵ１５１は、移動指示コマンドに含まれている２つの位置情報に基づいて、ＥＬ表示器６が役物ナンバーＮに対応する位置へ向けて移動するように、第１ステッピングモータ２９及び第２ステッピングモータ３０の駆動を制御する。
【０１００】
ステップＳ１５の処理を行った後、ＣＰＵ１３１は、光センサ５６の検知結果に基づいて、ＲＡＭ１３３に格納されているＥＬ表示器６の位置情報を更新する（ステップＳ１６）。
【０１０１】
なお、例えば光センサ５６の検知結果に代えて第１ステッピングモータ２９及び第２ステッピングモータ３０のステップ数に基づいてＥＬ表示器６の位置を検出する場合、ランプ制御部１５１から第１ステッピングモータ２９及び第２ステッピングモータ３０のステップ数に関する情報を取得して、ステップＳ１６の処理を行うようにしてもよい。
【０１０２】
ＣＰＵ１３１は、ステップＳ１４の処理で設定した役物ナンバーＮに対応する位置情報と、ステップＳ１６の処理で更新したＥＬ表示器６の位置情報とを比較して、ＥＬ表示器６が役物ナンバーＮに対応する第Ｎ位置へ到達したか否かを判定する（ステップＳ１７）。第Ｎ位置へ到達していないとＣＰＵ１３１が判定した場合（ステップＳ１７：ＮＯ）、処理がステップＳ１５へ戻されて、ＥＬ表示器６がステップＳ１４の処理で設定された第Ｎ位置へ到達するまでステップＳ１５，Ｓ１６の処理が繰り返される。
【０１０３】
ＣＰＵ１３１は、ＥＬ表示器６が第Ｎ位置に到達したと判定した場合（ステップＳ１７：ＹＥＳ）、役物ナンバーＮに対応する役物の位置や機能といった情報を示す第Ｎ役物関連情報の表示を画像音響制御部１４０に指示する（ステップＳ１８）。具体的には、ＣＰＵ１３１は、役物ナンバーＮを含む２画面表示指示コマンドを画像音響制御部１４０へ送信する。これに対して、画像音響制御部１４０は、ＶＤＰ１４２による描画処理を制御して、役物ナンバーＮに対応する第Ｎ役物関連情報をＥＬ表示器６のＥＬ画面６０に表示させる。
【０１０４】
ステップＳ１８において第１役物関連情報の表示が指示された場合、ランプ制御部１４０によってＥＬ表示器６が普通入賞口２４に対応する第１位置（図１３（Ａ）参照）に配置された状態で、普通入賞口２４の位置を示す矢印と共に普通入賞口２４の機能を示す文字情報が第１役物関連情報としてＥＬ画面６０に表示される（図１３（Ｂ）参照）。
【０１０５】
ステップＳ１８において第２役物関連情報の表示が指示された場合、ランプ制御部１４０によってＥＬ表示器６が第１始動口２１に対応する第２位置（図１４（Ａ）参照）に配置された状態で、第１始動口２１の絵やその位置を示す矢印と共に第１始動口２１の機能を示す文字情報が第２役物関連情報としてＥＬ画面６０に表示される（図１４（Ｂ）参照）。
【０１０６】
ステップＳ１８において第３役物関連情報の表示が指示された場合、ランプ制御部１４０によってＥＬ表示器６が大入賞口２３に対応する第３位置（図１５（Ａ）参照）に配置された状態で、大入賞口２３の絵やその位置を示す矢印と共に大入賞口２３の機能を示す文字情報が第３役物関連情報としてＥＬ画面６０に表示される（図１５（Ｂ）参照）。
【０１０７】
ステップＳ１８において第４役物関連情報の表示が指示された場合、ランプ制御部１４０によってＥＬ表示器６がゲート２５に対応する第４位置（図１６（Ａ）参照）に配置された状態で、ゲート２５の絵やその位置を示す矢印と共にゲート２５の機能を示す文字情報が第４役物関連情報としてＥＬ画面６０に表示される（図１６（Ｂ）参照）。
【０１０８】
ステップＳ１８において第５役物関連情報の表示が指示された場合、ランプ制御部１４０によってＥＬ表示器６が電動チューリップ２７に対応する第５位置（図１７（Ａ）参照）に配置された状態で、電動チューリップ２７の絵やその位置を示す矢印と共に電動チューリップ２７の機能を示す文字情報が第５役物関連情報としてＥＬ画面６０に表示される（図１７（Ｂ）参照）。
【０１０９】
ステップＳ１８において第６役物関連情報の表示が指示された場合、ランプ制御部１４０によってＥＬ表示器６が第２始動口２２に対応する第６位置（図１８（Ａ）参照）に配置された状態で、第２始動口２２の絵やその位置を示す矢印と共に第２始動口２２の機能を示す文字情報が第６役物関連情報としてＥＬ画面６０に表示される（図１８（Ｂ）参照）。
【０１１０】
このように、普通入賞口２４、第１始動口２１、大入賞口２３、ゲート２５、電動チューリップ２７、及び第２始動口２２のいずれかに対応する所定位置までＥＬ表示器６が移動したことを条件として、その所定位置に対応する役物に関する役物関連情報がＥＬ画面６０に表示される。
【０１１１】
ステップＳ１８の処理に続いて、ＣＰＵ１３１は、役物ナンバーＮがＲＯＭ１３２に記憶されている最大役物ナンバーＮｍａｘ（本実施形態では「６」）と一致するか否かを判定する（ステップＳ１９）。役物ナンバーＮが最大役物ナンバーＮｍａｘと一致しないとＣＰＵ１３１が判定した場合（ステップＳ１９：ＮＯ）、処理がステップＳ１４へ戻される。その結果、役物ナンバーＮをインクリメントして第Ｎ位置までＥＬ表示器６を移動させて第Ｎ役物関連情報をＥＬ画面６０に表示するという一連の動作処理が、役物ナンバーＮが最大役物ナンバーＮｍａｘと一致するまで繰り返される。これにより、ＥＬ表示器６が予め設定された初期位置から普通入賞口２４に対応する第１位置（図１３（Ａ）参照）へ移動してからＥＬ画面６０に普通入賞口２４に関する役物関連情報（図１３（Ｂ）参照）が表示され、ＥＬ表示器６が第１位置から第１始動口２１に対応する第２位置（図１４（Ａ）参照）へ移動してからＥＬ画面６０に第１始動口２１に関する役物関連情報（図１４（Ｂ）参照）が表示され、ＥＬ表示器６が第２位置から大入賞口２３に対応する第３位置（図１５（Ａ）参照）へ移動してからＥＬ画面６０に大入賞口２３に関する役物関連情報（図１５（Ｂ）参照）が表示される。そして、ＥＬ表示器６が第３位置からゲート２５に対応する第４位置（図１６（Ａ）参照）へ移動してからＥＬ画面６０にゲート２５に関する役物関連情報（図１６（Ｂ）参照）が表示され、ＥＬ表示器６が第４位置から電動チューリップ２７に対応する第５位置（図１７（Ａ）参照）へ移動してからＥＬ画面６０に電動チューリップ２７に関する役物関連情報（図１７（Ｂ）参照）が表示され、最後に、ＥＬ表示器６が第５位置から第２始動口２２に対応する第６位置（図１８（Ａ）参照）へ移動してからＥＬ画面６０に第２始動口２２に関する役物関連情報（図１８（Ｂ）参照）が表示される。
【０１１２】
これらの一連の動作処理が行われることにより、遊技者は、遊技領域２０に配置された遊技球の入賞又は抽選に係る各役物の位置や機能を容易に把握することができると共に、パチンコ遊技機１における遊技の流れを容易に把握することができる。なお、役物のガイダンスは、遊技者が演出ボタン３７を操作することによって中止されるので、ガイダンスが必要ない遊技者に対してまで役物のガイダンスが行われることはない。
【０１１３】
ＣＰＵ１３１は、役物ナンバーＮが最大役物ナンバーＮｍａｘと一致したと判定した場合（ステップＳ１９：ＹＥＳ）、ＲＡＭ１３３に格納されている役物ナンバーＮを「０」にリセットする（ステップＳ２０）。そして、ＣＰＵ１３１は、ＥＬ表示器６を所定の初期位置へ移動させる処理の実行をランプ制御部１５０に指示し（ステップＳ２１）、最後に、ＲＡＭ１３３に記憶されているＥＬ表示器６の位置情報を更新する（ステップＳ２２）。以上説明したＥＬ制御処理は、パチンコ遊技機１の客待ち状態が解除される毎に演出制御部１３０のＣＰＵ１３１によって実行される。
【０１１４】
［ＶＲＡＭ＿ＦＢ１４２６の構成］
上記ステップＳ１８の処理が行われた場合、液晶画面５０に演出画像が表示された状態でＥＬ画面６０に役物関連情報が表示される。つまり、液晶画面５０及びＥＬ画面６０を用いた２画面表示が行われることになる。以下、この２画面表示を実現するためにＶＤＰ１４２が実行する描画処理に使用されるＶＲＡＭ＿ＦＢ１４２６の構成について、図１９に基づいて説明する。ここで、図１９は、ＶＲＡＭ＿ＦＢ１４２６の構成について説明するための説明図である。
【０１１５】
図１９に示されるように、ＶＲＡＭ＿ＦＢ１４２６は、描画エンジン１４２４によって描画される１フレーム分の画像をそれぞれ記憶する第１フレームバッファ１４２６Ａ及び第２フレームバッファ１４２６Ｂを備えるダブルバッファ方式のメモリである。描画エンジン１４２４は、第１フレームバッファ１４２６Ａ内の画像を液晶表示器５及びＥＬ表示器６に出力している間には、次のフレームの画像を第２フレームバッファ１４２６Ｂに描画する。一方、第２フレームバッファ１４２６Ｂ内の画像を液晶表示器５及びＥＬ表示器６に出力している間には、次のフレームの画像を第１フレームバッファ１４２６Ａに描画する。このように、描画エンジン１４２４は、一方のフレームバッファから画像を出力している間に他方のフレームバッファに描画処理を行うことで、高いフレームレートで描画処理を行うことができる。
【０１１６】
ところで、第１フレームバッファ１４２６Ａ及び第２フレームバッファ１４２６Ｂは、本実施形態においては、いずれも垂直方向１１に７２０ドット、水平方向１２に９６０ドットの画素データを格納可能なメモリ領域を有している（図２２（Ａ）参照）。これに対して、液晶表示器５の液晶画面５０に表示される画像（以下「メイン画像」と呼ぶ）は、垂直方向１１に６００ドット、水平方向１２に８００ドットの画素データから構成されている（図２２（Ａ）参照）。このため、ＥＬ画面６０には画像を表示せずに液晶画面５０にのみ画像を表示する場合には、何ら問題なく描画処理を行うことができる。しかしながら、ＥＬ画面６０に表示される画像（以下「サブ画像」と呼ぶ）が垂直方向１１に２４０ドット、水平方向１２に３２０ドットの画素データから構成されており（図２２（Ｃ）参照）、メイン画像及びサブ画像を並べて描画した場合に垂直方向１１又は水平方向１２の画素数が第１フレームバッファ１４２６Ａに格納可能な画素データの画素数を超えている場合、そのままでは、第１フレームバッファ１４２６Ａにメイン画像及びサブ画像を一緒に描画することは不可能である。これは、第２フレームバッファ１４２６Ｂについても同様である。そこで、本実施形態に係るＶＤＰ１４２は、第１フレームバッファ１４２６Ａにメイン画像を描画した後にできる空き領域（図２２（Ｂ）参照）にサブ画像を複数の領域に分割した状態で描画することによって、第１フレームバッファ１４２６Ａ（又は第２フレームバッファ１４２６Ｂ）にメイン画像及びサブ画像を一緒に描画することを可能にしている。以下、このような描画処理を実現するためのパチンコ遊技機１の動作について詳細に説明する。なお、以下の説明では、第１フレームバッファ１４２６Ａを使用して描画処理が行われる場合を例に説明するが、第２フレームバッファ１４２６Ｂを使用して描画処理を行う場合にも同様の処理が行われる。
【０１１７】
［分割画像サイズ及び分割数の設定］
第１フレームバッファ１４２６Ａ及び第２フレームバッファ１４２６Ｂは、メイン画像が描画された場合に、描画処理に使用されていない空き領域が生じる（図２１（Ｄ）参照）。サブ画像は、この空き領域に描画されるが、空き領域にそのまま描画できない場合には複数の領域に分割された分割画像として空き領域に描画される。このようにサブ画像を分割画像として描画する処理は、予め設定された分割画像サイズＳＳ及び分割数ＳＮに基づいて行われる。
【０１１８】
以下、図２０〜図２２を参照しつつ、分割画像サイズＳＳ及び分割数ＳＮを設定する処理について説明する。ここで、図２０は、画像音響制御部１４０によって実行される設定処理の一例を示すフローチャートである。図２１は、メイン画像サイズ、サブ画像サイズ、フレームバッファサイズ、及び空き領域のサイズについて説明するための説明図である。図２２は、画像音響制御部１４０によって実行される設定処理について説明するための説明図である。なお、図２０以降のフローチャートに基づいて説明する画像音響制御部１４０で行われる処理は、制御用ＲＯＭ１４４に記憶されているプログラムに基づいてＣＰＵ１４１が発行する命令に従って行われる。
【０１１９】
例えばパチンコ遊技機１の電源が投入されたときや、液晶表示器５を用いた１画面表示から液晶表示器５及びＥＬ表示器６を用いた２画面表示に切り替えられるとき等に、分割画像サイズＳＳ及び分割数ＳＮの設定処理を指示する設定指示コマンドが演出制御部１３０から画像音響制御部１４０へ送信される。これに対して、画像音響制御部１４０のＣＰＵ１４１は、設定指示コマンドを受信したか否かを判定する（ステップＳ３１）。設定指示コマンドを受信していないとＣＰＵ１４１が判定した場合（ステップＳ３１：ＮＯ）、待機状態となる。
【０１２０】
ＣＰＵ１４１は、設定指示コマンドを受信したと判定した場合（ステップＳ３１：ＹＥＳ）、メイン画像サイズ、サブ画像サイズ、及びフレームバッファ（ＦＢ）サイズを取得する（ステップＳ３２）。具体的には、ＶＤＰ１４２から第１フレームバッファ１４２６Ａ及び第２フレームバッファ１４２６Ｂのフレームバッファサイズを取得してＲＡＭ１４５に格納すると共に、液晶画面５０の画面解像度及びＥＬ画面６０の画面解像度をメイン画像サイズ及びサブ画像サイズとしてＶＤＰ１４２を介して液晶表示器５及びＥＬ表示器６から取得してＲＡＭ１４５に格納する。ここで、フレームバッファサイズは、図２１（Ａ）に示されるように、第１フレームバッファ１４２６Ａ（或いは第２フレームバッファ１４２６Ｂ）に格納可能な画素データの垂直方向１１の画素数Ｌ１及び水平方向１２の画素数Ｃ１を示す情報であり、本実施形態では７２０×９６０（垂直画素数Ｌ１×水平画素数Ｃ１）である（図２２（Ａ）参照）。メイン画像サイズは、図２１（Ｂ）に示されるように、メイン画像を構成する画素データの垂直方向１１の画素数Ｌ２及び水平方向１２の画素数Ｃ２を示す情報であり、液晶画面５０の画面解像度と等しく、本実施形態では６００×８００（垂直画素数Ｌ２×水平画素数Ｃ２）である（図２２（Ａ）参照）。サブ画像サイズは、図２１（Ｃ）に示されるように、サブ画像を構成する画素データの垂直方向１１の画素数Ｌ３及び水平方向１２の画素数Ｃ３を示す情報であり、ＥＬ画面６０の画面解像度と等しく、本実施形態では２４０×３２０（垂直画素数Ｌ３×水平画素数Ｃ３）である（図２２（Ｃ）参照）。
【０１２１】
次に、ＣＰＵ１４１は、取得したメイン画像サイズ、及びフレームバッファサイズに基づいて、第１フレームバッファ１４２６Ａにメイン画像を描画した後に生じる空き領域のサイズを算出する（ステップＳ３３）。具体的には、以下の演算式を用いて、空き領域に描画可能な画素データの最低垂直画素数Ｌ４（図２１（Ｄ）参照）、及び最低水平画素数Ｃ４（図２１（Ｄ）参照）を算出する。
最低垂直画素数Ｌ４＝垂直画素数Ｌ１−垂直画素数Ｌ２
最低水平画素数Ｃ４＝水平画素数Ｃ１−水平画素数Ｃ２
本実施形態では、図２２に示されるように、垂直画素数Ｌ１が「７２０」であり、垂直画素数Ｌ２が「６００」であるため、最低垂直画素数Ｌ４として「１２０」が算出され、水平画素数Ｃ１が「９６０」であり、水平画素数Ｃ２が「８００」であるため、最低水平画素数Ｃ４として「１６０」が算出される（図２２（Ｂ）参照）。
【０１２２】
続いて、ＣＰＵ１４１は、以下の演算式を用いて、サブ画像を構成する画素データの総数ＳＴ、及び空き領域に描画可能な画素データの総数ＶＴを算出し、総数ＳＴが総数ＶＴよりも小さいか否かを判定する（ステップＳ３４）。
総数ＳＴ＝垂直画素数Ｌ３×水平画素数Ｃ３
総数ＶＴ＝垂直画素数Ｌ４×水平画素数Ｃ１＋水平画素数Ｃ４×（垂直画素数Ｌ１−垂直画素数Ｌ４）
ここで、垂直画素数Ｌ３は、サブ画像を構成する画素データの垂直方向１１の画素数であり、水平画素数Ｃ３は、サブ画像を構成する画素データの水平方向１２の画素数である。総数ＳＴ及び総数ＶＴを算出すると、ＣＰＵ１４１は、総数ＳＴが総数ＶＴよりも小さいか否かを判定する。総数ＳＴが総数ＶＴよりも小さければ、サブ画像をそのまま或いは分割して第１フレームバッファ１４２６Ａに描画することができると判断することができる。一方、総数ＳＴが総数ＶＴよりも大きければ、サブ画像を分割したとしてもそのままでは第１フレームバッファ１４２６Ａに描画することはできないと判断することができる。
【０１２３】
分割判定手段として機能するＣＰＵ１４１は、総数ＳＴが総数ＶＴよりも小さいと判定した場合（ステップＳ３４：ＹＥＳ）、サブ画像を空き領域に描画するためにサブ画像を分割する必要があるか否かを判定する（ステップＳ３５）。具体的には、サブ画像を構成する画素データの垂直画素数Ｌ３（図２１（Ｃ）参照）が空き領域の最低垂直画素数Ｌ４（図２１（Ｄ）参照）よりも小さいか、又はサブ画像を構成する画素データの水平画素数Ｃ３（図２１（Ｃ）参照）が空き領域の最低水平画素数Ｃ４（図２１（Ｄ）参照）よりも小さいかの少なくとも一方の条件を満たしているか否かを判定する。ここで、垂直画素数Ｌ３が最低垂直画素数Ｌ４よりも小さいか、又は水平画素数Ｃ３が最低水平画素数Ｃ４よりも小さければ、サブ画像を分割することなく空き領域に描画することが可能であると判定することができる。一方、垂直画素数Ｌ３が最低垂直画素数Ｌ４よりも大きく且つ水平画素数Ｃ３が最低水平画素数Ｃ４よりも大きい場合、サブ画像を空き領域にそのまま描画できないので、サブ画像を分割して描画する必要があると判定することができる。このように、ＣＰＵ１４１は、空き領域のサイズ、及びサブ画像サイズに基づいて、サブ画像の分割の必要性を判定する。
【０１２４】
ＣＰＵ１４１は、分割が不要であると判定した場合（ステップＳ３５：ＮＯ）、分割数ＳＮを「０」に設定する（ステップＳ３６）。ここで、分割数ＳＮは、空き領域に描画される分割画像の数を示す情報である。言い換えれば、分割数ＳＮは、サブ画像を構成する分割画像の数を示す情報である。このステップＳ３６で設定された分割数ＳＮは、設定情報としてＲＡＭ１４５に格納される。この設定情報は、ＶＤＰ１４２へ出力される制御信号に含まれて、ＶＤＰ１４２へと送られる。後に詳述するが、分割数ＳＮが「０」に設定された場合、空き領域には分割画像が描画されず、サブ画像がそのまま描画されることになる。
【０１２５】
算出手段として機能するＣＰＵ１４１は、分割が必要であると判定した場合（ステップＳ３５：ＹＥＳ）、空き領域サイズ及びサブ画像サイズに基づいて、分割画像サイズＳＳ及び分割数ＳＮを算出する（ステップＳ３７）。ここで、分割画像サイズＳＳは、サブ画像が分割数ＳＮで示される個数の分割画像に分割された場合に、１個の分割画像のサイズ（垂直画素数、及び水平画素数）を示す情報である。ステップＳ３７では、以下の演算式を用いて、分割画像サイズＳＳ（分割画像の垂直画素数ＳＳＬと分割画像の水平画素数ＳＳＣ）及び分割数ＳＮを算出する。
分割画像の垂直画素数ＳＳＬ＝最低垂直画素数Ｌ４
分割画像の水平画素数ＳＳＣ＝最低水平画素数Ｃ４
分割数ＳＮ＝（垂直画素数Ｌ３／最低垂直画素数Ｌ４）×（水平画素数Ｃ３／最低水平画素数Ｃ４）
図２２（Ｂ）及び図２２（Ｃ）に示されるように、本実施形態では、最低垂直画素数Ｌ４として「１２０」が算出され、最低水平画素数Ｃ４として「１６０」が算出される。このため、ここでの分割画像サイズＳＳは、１２０×１６０（垂直画素数ＳＳＬ×水平画素数ＳＳＣ）となる。また、分割数ＳＮは、（２４０／１２０）×（３２０／１６０）により「４」が算出される。
【０１２６】
ＣＰＵ１４１は、分割画像サイズＳＳ及び分割数ＳＮを算出した後、算出した分割画像サイズＳＳ及び分割数ＳＮを設定情報としてＲＡＭ１４５に格納する（ステップＳ３８）。この設定情報は、ＶＤＰ１４２へ出力される制御信号に含まれて、ＶＤＰ１４２へと送られる。なお、ステップＳ３８の設定処理に代えてステップＳ３６の設定処理が行われた場合には、サブ画像を分割する必要がないので分割画像サイズＳＳは算出されず、設定情報として、分割数ＳＮが「０」であることを示す情報のみがＶＤＰ１４２へ送られる。
【０１２７】
ここで、分割画像サイズＳＳ及び分割数ＳＮを変化させた場合の分割画像サイズＳＳと空き領域サイズとの関係について図２２（Ｃ）に基づいて説明する。垂直画素数Ｌ３が「２４０」であり水平画素数Ｃ３が「３２０」であるサブ画像に対して、仮に分割数ＳＮが「０」に設定された場合（ステップＳ３６の処理が行われた場合）、図２２（Ｂ）及び図２２（Ｃ）から明らかなように、垂直画素数Ｌ３が最低垂直画素数Ｌ４を超え且つ水平画素数Ｃ３が最低水平画素数Ｃ４を超えているので、第１フレームバッファ１４２６Ａの空き領域にサブ画像をそのまま描画することはできない。
【０１２８】
また、仮に分割数ＳＮが「２」に設定された場合、サブ画像を垂直画素数が「２４０」で水平画素数が「１６０」である２個の分割画像として空き領域に描画する第１の方法と、サブ画像を垂直画素数が「１２０」で水平画素数が「３２０」である２個の分割画像として空き領域に描画する第２の方法とが考えられる（図２２（Ｃ）の真ん中の図を参照）。しかしながら、第１の方法でサブ画像を描画することを考えた場合、空き領域内の垂直方向１１に延びる領域（図２２（Ｂ）参照）に２個の分割画像を描画することは可能であるが、空き領域内の水平方向１２に延びる領域に分割画像を描画することはできない。なぜなら、分割画像の垂直画素数「２４０」が、空き領域の最低垂直画素数Ｌ４（＝１２０）を超えているからである。また、第２の方法でサブ画像を描画することを考えた場合、空き領域内の横方向に延びる領域（図２２（Ｂ）参照）に２個の分割画像を描画することは可能であるが、空き領域内の垂直方向１１に延びる領域に２個の分割画像を描画することはできない。なぜなら、分割画像の水平画素数「３２０」が、空き領域の最低水平画素数Ｃ４（＝１６０）を超えているからである。このように、本実施形態で例示したサブ画像を分割画像として空き領域に描画する際に分割数ＳＮを「２」に設定すると、分割画像を描画する位置によっては、分割画像を空き領域に描画できないケースが生じ得る。
【０１２９】
これに対して、上述のように分割数ＳＮが「４」に設定された場合、図２２（Ｂ）及び図２２（Ｃ）の右側の図から明らかなように、垂直画素数ＳＳＬが空き領域の最低垂直画素数Ｌ４と同じ「１２０」に設定され、且つ水平画素数ＳＳＣが空き領域の最低水平画素数Ｃ４と同じ「１６０」に設定される。そして、この分割画像サイズＳＳの分割画像が空き領域に４個描画されることになる。この場合、各分割画像は、空き領域内の垂直方向１１に延びる領域と水平方向１２に延びる領域とのいずれにも描画可能である。したがって、分割数ＳＮが「２」に設定された場合とは異なり、分割画像を描画する位置によって空き領域に分割画像を描画できないケースが生じることはない。このように、分割数ＳＮ及び分割画像サイズＳＳは、分割画像をどのような配列で空き領域に描画したとしても確実に空き領域に収まるように、適切な値に設定される。
【０１３０】
一方、上記ステップＳ３４において総数ＳＴが総数ＶＴよりも大きいとＣＰＵ１４１が判定した場合（ステップＳ３４：ＮＯ）、たとえサブ画像を分割したとしても、サブ画像を構成する全ての画素データを空き領域に描画することは不可能である。このため、ＣＰＵ１４１は、総数ＳＴが総数ＶＴよりも大きいと判定した場合（ステップＳ３４：ＮＯ）、縮小倍率を算出して（ステップＳ３９）、算出した縮小倍率を設定情報としてＲＡＭ１４５に格納する（ステップＳ４０）。そして、ステップＳ３７，Ｓ３８へ処理が進められて、分割画像サイズＳＳ及び分割数ＳＮが設定される。
【０１３１】
ここで、縮小倍率の設定方法について説明する。例えばステップＳ３９で縮小倍率が「０．５」に設定された場合、垂直画素数Ｌ３が「２４０」であり水平画素数Ｃ３が「３２０」であるサブ画像（図２２（Ｃ）の左側の図を参照）が、垂直画素数Ｌ３が「１２０」（＝２４０×０．５）であり水平画素数Ｃ３が「１６０」（＝３２０×０．５）であるサブ画像として、ステップＳ３７，Ｓ３８の処理が行われる。この場合、描画処理に際して、ＶＲＡＭ＿ＲＳ１４２５上で垂直方向１１及び水平方向１２の画素数を１／２にしたサブ画像が生成されて、そのサブ画像が、分割画像サイズＳＳ及び分割数ＳＮに基づく分割画像として第１フレームバッファ１４２６Ａの空き領域に描画されることになる。そして、これらの分割画像は、垂直方向１１及び水平方向１２の画素数を２倍にするスケーリング処理（拡大処理）が描画エンジン１４２４によって行われてからＥＬ表示器６へ出力される。これにより、分割したとしても空き領域に描画できないサブ画像を空き領域に描画することが可能になる。したがって、空き領域サイズに対して画面解像度が大きい画像表示器を備えるパチンコ遊技機において、従来の描画処理ではその画像表示器に画像を表示することができないという問題を、分割画像サイズＳＳ及び分割数ＳＮに加えて縮小倍率を設定することで解決することができる。
【０１３２】
なお、縮小倍率は、例えば縮小後のサブ画像の総画素数（＝垂直画素数×水平画素数）が、空き領域に描画可能な画素データの総数ＶＴ以下（好ましくは総数ＶＴより所定数以上小さい値）となるように設定すればよい。これにより、サブ画像を分割画像として空き領域に描画することが可能となる。ただし、縮小倍率を小さくし過ぎると、スケーリング処理の結果としてＥＬ表示器６に表示される画像の画質が低下するおそれがあるので、縮小倍率は、縮小後のサブ画像の総画素数が総数ＶＴを超えない範囲で、できるだけ大きな値に設定することが好ましい。
【０１３３】
以上説明した図２０のフローチャートに基づく設定処理が行われることにより、第１フレームバッファ１４２６Ａへのメイン画像及びサブ画像の描画に際してサブ画像の縮小が必要か否かを示す情報、縮小が必要な場合には縮小倍率、サブ画像の分割が必要か否かを示す情報、分割が必要な場合には分割画像サイズＳＳ及び分割数ＳＮ（分割数ＳＮ＝０の場合は分割数ＳＮのみ）が、設定情報としてＲＡＭ１４５に格納される。後述する描画エンジン１４２４による２画面表示のための描画処理は、この設定情報に基づいて実行される。
【０１３４】
ＣＰＵ１４１は、液晶表示器５のみを用いた１画面表示を実行する際には、上記設定処理によってＲＡＭ１４５に格納した設定情報を含まない制御信号をＶＤＰ１４２へ出力する。これにより、ＶＲＡＭ＿ＦＢ１４２６にメイン画像のみが描画されて、液晶表示器５のみを用いた１画面表示が行われる。一方、液晶表示器５及びＥＬ表示器６を用いた２画面表示を実行する際には、ＣＰＵ１４１は、設定情報を含む制御信号をＶＤＰ１４２へ出力する。これにより、ＶＲＡＭ＿ＦＢ１４２６にメイン画像及びサブ画像が描画されて、液晶表示器５及びＥＬ表示器６を用いた２画面表示が行われる。このように、ＣＰＵ１４１が設定情報を含まない制御信号と設定情報を含む制御信号とを切り換えて出力することにより、ＶＤＰ１４２が描画処理を適切に行うことができる。また、上記設定処理が行われることにより、例えばＥＬ表示器６のリユースによってＥＬ画面６０の画面解像度、すなわちサブ画像サイズが変化した場合でも、第１フレームバッファ１４２６Ａ又は第２フレームバッファ１４２６Ｂの空き領域へのサブ画像の描画を適切に行うことができる。
【０１３５】
［画像音響制御部１４０による表示制御処理］
次に、図２３及び図２４を参照しつつ、画像音響制御部１４０によって行われる表示制御処理について説明する。ここで、図２３は、画像音響制御部１４０のＣＰＵ１４１によって実行される表示制御処理の一例を示すフローチャートである。図２４は、液晶画面５０による１画面表示が行われる際のＶＤＰ１４２による描画処理について説明するための説明図である。なお、図２３以降のフローチャートに基づいて説明する画像音響制御部１４０で行われる処理は、制御用ＲＯＭ１４４（図１１参照）に記憶されているプログラムに基づいてＣＰＵ１４１が発行する命令に従って行われる。
【０１３６】
画像音響制御部１４０のＣＰＵ１４１は、図１２のステップＳ１８の処理によって演出制御部１３０から送信された２画面表示指示コマンドを受信したか否かを判定する（ステップＳ５１）。ＣＰＵ１４１は、２画面表示指示コマンドを受信していないと判定した場合（ステップＳ５１：ＮＯ）、メイン画像のみを描画して液晶表示器５へ出力する１画面表示をＶＤＰ１４２に指示する（ステップＳ５２）。具体的には、図２０の設定処理によって生成された設定情報を含まない制御信号をＶＤＰ１４２へ出力する。
【０１３７】
これに対して、ＶＤＰ１４２の描画エンジン１４２４は、図２４に例示されるように、装飾図柄及びキャラクタを示す第１画像と、装飾図柄等の背景を示す背景画像としての第２画像と、文字画像としての第３画像とを画像用ＲＯＭ１４８からＶＲＡＭ＿ＲＳ１４２５に読み出して、これらの画像を合成した画像であるメイン画像を第１フレームバッファ１４２６Ａ（又は第２フレームバッファ１４２６Ｂ）に描画し、出力回路１４２７は、第１フレームバッファ１４２６Ａ（又は第２フレームバッファ１４２６Ｂ）からメイン画像を読み出して液晶表示器５へ出力する。これにより、液晶画面５０のみを用いた１画面表示が実現される。
【０１３８】
一方、ＣＰＵ１４１は、２画面表示指示コマンドを受信したと判定した場合（ステップＳ５１：ＹＥＳ）、メイン画像及びサブ画像を描画して液晶表示器５及びＥＬ表示器６へ出力する２画面表示をＶＤＰ１４２に指示する（ステップＳ５３）。具体的には、２画面表示指示コマンドから役物ナンバーＮを抽出し、抽出した役物ナンバーＮ、及び図２０の設定処理によって生成された設定情報を含む制御信号をＶＤＰ１４２へ出力する。
【０１３９】
これに対して、ＶＤＰ１４２は、液晶画面５０に表示されるメイン画像、及びＥＬ画面６０に表示される役物関連情報を示すサブ画像を１つのフレームバッファ（第１フレームバッファ１４２６Ａ又は第２フレームバッファ１４２６Ｂ）に描画し、メイン画像を液晶表示器５へ出力すると共にサブ画像をＥＬ表示器６へ出力する。これにより、特別図柄やキャラクタ等の表示オブジェクトを含む演出画像が液晶画面５０に表示されると共に、役物関連情報がＥＬ画面６０に表示される。
【０１４０】
このように、演出制御部１３０のＣＰＵ１３１によってＥＬ表示器６が第１位置から第６位置のいずれかの所定位置であると判定されて２画面表示指示コマンドが送信された場合に、ＶＤＰ１４２は、第１位置から第６位置のいずれかの位置に対応する役物関連情報を示すサブ画像をＥＬ画面６０に表示させる。
【０１４１】
［２画面表示のための描画処理］
１画面表示のためにＶＤＰ１４２によって行われる描画処理は、図２４に基づいて上述した通りである。以下、図２５〜図２８を参照しつつ、２画面表示のためにＶＤＰ１４２によって行われる描画処理について詳細に説明する。ここで、図２５は、２画面表示のためにＶＤＰ１４２によって行われる描画処理の一例を示すフローチャートである。図２６は、分割数ＳＮが「０」に設定されている場合にＶＤＰ１４２によって行われる描画処理について説明するための説明図である。図２７は、分割数ＳＮが「４」に設定されている場合にＶＤＰ１４２によって行われる描画処理について説明するための説明図である。図２８は、出力回路１４２７による分割画像の出力処理について説明するための説明図である。なお、図２５以降のフローチャートに基づいて説明するＶＤＰ１４２で行われる描画処理は、制御用ＲＯＭ１４４に記憶されているプログラムに基づいてＣＰＵ１４１が生成する制御信号に基づいて行われる。また、以下の説明では、第１フレームバッファ１４２６Ａ及び第２フレームバッファ１４２６Ｂのうち、第１フレームバッファ１４２６Ａを使用して描画処理が行われる場合を例に説明するが、第２フレームバッファ１４２６Ｂを使用した描画処理も第１フレームバッファ１４２６Ａを使用した描画処理と同様に行われる。
【０１４２】
ＣＰＵ１４１から役物ナンバーＮ及び設定情報を含む制御信号がＶＤＰ１４２に入力されると、描画エンジン１４２４は、図２５に示されるように、メイン画像及びサブ画像の描画処理に使用するフレームバッファを選択する（ステップＳ８１）。具体的には、第１フレームバッファ１４２６Ａ及び第２フレームバッファ１４２６Ｂのうち、液晶表示器５とＥＬ表示器６へ画像を出力しているフレームバッファを特定して、画像を出力していない方のフレームバッファを今回のフレームの描画処理に使用するフレームバッファとして選択する。
【０１４３】
ステップＳ８１で例えば第１フレームバッファ１４２６Ａを選択した場合、描画エンジン１４２４は、液晶表示器５に表示されるメイン画像を第１フレームバッファ１４２６Ａに描画する（ステップＳ８２）。例えば、装飾図柄及びキャラクタを示す第１画像と、装飾図柄等の背景を示す背景画像としての第２画像と、文字画像としての第３画像とを画像用ＲＯＭ１４８からＶＲＡＭ＿ＲＳ１４２５に読み出して、これらの画像を合成した画像であるメイン画像を第１フレームバッファ１４２６Ａに描画する（図２６参照）。
【０１４４】
続いて、描画エンジン１４２４は、ＣＰＵ１４１から送信された制御信号に含まれている役物ナンバーＮを抽出して、役物ナンバーＮに対応するサブ画像を生成する（ステップＳ８３）。具体的には、画像用ＲＯＭ１４８には、それぞれ役物ナンバーＮに対応付けられた素材データが記憶されており、描画エンジン１４２４は、制御信号から抽出した役物ナンバーＮに対応する複数の素材データ（役物自体を示す画像や役物の機能を説明する文字を示す文字画像）を画像用ＲＯＭ１４８からＶＲＡＭ＿ＲＳ１４２５へ読み出し、素材データを合成して役物関連情報を示すサブ画像を生成する。
【０１４５】
例えば普通入賞口２４に関する役物関連情報を表示する場合、図１３に例示されている払出賞球数及び抽選に関するメッセージを示す素材データ、及び矢印を示す素材データを画像用ＲＯＭ１４８からＶＲＡＭ＿ＲＳ１４２５へ読み出し、ＶＲＡＭ＿ＲＳ１４２５上でこれらを合成してサブ画像を生成する。
【０１４６】
サブ画像を生成すると、描画エンジン１４２４は、ＣＰＵ１４１から出力された制御信号にステップＳ４０（図２０参照）の処理によって設定された縮小倍率を示す情報が設定情報として含まれているか否かに基づいて、縮小倍率が設定されているか否かを判定する（ステップＳ８４）。縮小倍率が設定されていると判定した場合（ステップＳ８４：ＹＥＳ）、描画エンジン１４２４は、制御信号から抽出した縮小倍率を示す情報に基づいて、ステップＳ８３の処理で生成されたサブ画像に対して縮小処理を行う（ステップＳ８５）。例えば縮小倍率が「０．５」に設定されている場合、描画エンジン１４２４は、垂直画素数Ｌ３が例えば「４８０」で水平画素数Ｃ３が「６４０」のサブ画像から垂直画素数Ｌ３が「２４０」（＝４８０×０．５）で水平画素数Ｃ３が「３２０」（＝６４０×０．５）のサブ画像を生成する。その結果、分割したとしても空き領域に描画できなかったサブ画像の描画が可能となる。
【０１４７】
描画エンジン１４２４は、ステップＳ８５の処理を行った場合、又は縮小倍率が設定されていないと判定した場合（ステップＳ８４：ＮＯ）、ＣＰＵ１４１から出力された制御信号に含まれている分割数ＳＮが「０」であるか否かを判定する（ステップＳ８６）。分割数ＳＮが「０」であると判定した場合（ステップＳ８６：ＹＥＳ）、ＶＲＡＭ＿ＲＳ１４２５内のサブ画像を分割することなく第１フレームバッファ１４２６Ａの空き領域に描画することができるので、サブ画像をそのまま空き領域に描画する（ステップＳ８７）。このように、描画エンジン１４２４は、分割が不要であるとＣＰＵ１４１によって予め判定されている場合には、サブ画像を分割することなく、メイン画像の描画によってできた第１フレームバッファ１４２６Ａ内の空き領域に描画する。
【０１４８】
図２６には、サブ画像が分割されることなく第１フレームバッファ１４２６Ａの空き領域に描画される例が示されている。図２６に例示されているように、垂直画素数Ｌ２が「６００」で水平画素数Ｃ２が「８００」のメイン画像に対して上述した例とは異なり垂直画素数Ｌ１が「８４０」で水平画素数Ｃ１が「１１２０」であるフレームバッファが用意されている場合、そのフレームバッファの空き領域の最低垂直画素数Ｌ４は「２４０」（＝８４０−６００）で、最低水平画素数Ｃ４は「３２０」（＝１１２０−８００）である。このような空き領域に垂直画素数Ｌ３が「２４０」であり水平画素数Ｃ３が「３２０」であるサブ画像を描画する場合、サブ画像の垂直画素数Ｌ３が最低垂直画素数Ｌ４と等しく、且つ水平画素数Ｃ３が最低水平画素数Ｌ４と等しいので、サブ画像の分割は不要である。このような場合に分割数ＳＮが「０」に設定され、描画エンジン１４２４は、サブ画像を分割することなく第１フレームバッファ１４２６Ａの空き領域に描画する。
【０１４９】
ステップＳ８７の処理を行った場合、描画エンジン１４２４は、第２フレームバッファ１４２６Ｂに格納されている前のフレームの画像を表示する処理が完了して、ステップＳ８２，Ｓ８７の処理で第１フレームバッファ１４２６Ａに描画した次のフレームの画像を表示するタイミングになったか否かを判定する（ステップＳ８８）。表示タイミングになっていないと判定した場合（ステップＳ８８：ＮＯ）、処理がステップＳ８８へ戻されて待機状態となる。
【０１５０】
表示タイミングになったと描画エンジン１４２４が判定した場合（ステップＳ８８：ＹＥＳ）、出力回路１４２７は、図２６に示されているように、メイン画像を第１フレームバッファ１４２６Ａから読み出して液晶表示器５へ出力すると共に（ステップＳ８９）、サブ画像を同じく第１フレームバッファ１４２６Ａから読み出してＥＬ表示器６へ出力する（ステップＳ９０）。
【０１５１】
一方、描画エンジン１４２４は、ＣＰＵ１４１から出力された制御信号に設定情報として含まれている分割数ＳＮが「０」ではない（２以上の偶数である）と判定した場合（ステップＳ８６：ＮＯ）、ステップＳ８３の処理でＶＲＡＭ＿ＲＳ１４２５に生成したサブ画像、又はステップＳ８５の処理で縮小したサブ画像を分割画像として第１フレームバッファ１４２６Ａの空き領域に描画する（ステップＳ９２）。
【０１５２】
図２７には、分割数ＳＮが「４」であり、垂直画素数Ｌ３が「２４０」で水平画素数Ｃ３が「３２０」であるサブ画像が４個の分割画像に対して分割画像サイズＳＳが１２０×１６０（垂直画素数×水平画素数）に設定されている場合に（図２２（Ｃ）の右側の図を参照）、第１フレームバッファ１４２６Ａにメイン画像を描画した場合に生じた空き領域に対して、サブ画像が４個の分割画像として描画される様子が示されている。サブ画像の分割が必要であるとＣＰＵ１４１によって予め判定されている場合、描画エンジン１４２４は、図２７に例示されるように、サブ画像を複数の領域に分割して得られる分割画像（ここでは４個の分割画像）として第１フレームバッファ１４２６Ａの空き領域に描画する。
【０１５３】
このように、描画エンジン１４２４は、ＣＰＵ１４１によって分割が必要であると判定されて分割画像サイズＳＳ及び分割数ＳＮが予め設定されている場合、その設定に基づいてサブ画像を分割画像として第１フレームバッファ１４２６Ａの空き領域に描画する。
【０１５４】
分割画像を描画した場合、描画エンジン１４２４は、ステップＳ８８の処理と同様に、ステップＳ８２，Ｓ９２の処理で第１フレームバッファ１４２６Ａに描画した次のフレームの画像を表示するタイミングになったか否かを判定する（ステップＳ９３）。表示タイミングになっていないと判定した場合には（ステップＳ９３：ＮＯ）、処理がステップＳ９３へ戻されて待機状態となる。一方、表示タイミングになったと描画エンジン１４２４が判定した場合（ステップＳ９３：ＹＥＳ）、出力回路１４２７は、図２７に示されるように、メイン画像を第１フレームバッファ１４２６Ａから読み出して液晶表示器５へ出力する（ステップＳ９４）。
【０１５５】
続いて、描画エンジン１４２４は、ＣＰＵ１４１からの制御信号に縮小倍率を示す情報が含まれているか否かに基づいて、縮小倍率が設定されているか否かを判定する（ステップＳ９５）。縮小倍率が設定されていないと描画エンジン１４２４が判定した場合（ステップＳ９５：ＮＯ）、すなわち図２０に例示される設定処理でステップＳ３９，Ｓ４０の処理が行われていない場合、出力回路１４２７は、分割画像を第１フレームバッファ１４２６Ａから読み出して、サブ画像としてＥＬ表示器６に出力する（ステップＳ９６）。
【０１５６】
ところで、メイン画像は、液晶画面５０を構成する画素（カラー液晶素子５２）と同じ配列で第１フレームバッファ１４２６Ａに格納されている。このため、メイン画像を構成する各画素データに関しては、そのままの順番で液晶表示器５に出力すればよい。また、サブ画像が縮小や分割されることなく第１フレームバッファ１４２６Ａに描画された場合（図２６参照）、このサブ画像は、ＥＬ画面６０を構成する画素と同じ配列で第１フレームバッファ１４２６Ａに格納されている。このため、このサブ画像を構成する各画素データに関しては、そのままの順番でＥＬ表示器６に出力すればよい。
【０１５７】
これに対して、サブ画像が分割画像として第１フレームバッファ１４２６Ａに描画された場合（図２７参照）、このサブ画像は、ＥＬ画面６０を構成する画素とは異なる配列で第１フレームバッファ１４２６Ａに格納されている。そこで、サブ画像がＥＬ画面６０に正しく表示されるように、出力回路１４２７は、サブ画像を構成する各画素データが本来出力されるべき所定の順序で出力されるように、分割画像を構成する各画素データを読み出す。例えば図２７に例示された配列で４個の分割画像が第１フレームバッファ１４２６Ａに格納されている場合、出力回路１４２７は、図２８に示されるように、サブ画像の左上方の領域と同じ表示内容を示す第１分割画像に対して、水平方向１２に１ライン分の画素データを読み出して出力する処理と、サブ画像の右上方の領域と同じ表示内容を示す第２分割画像に対して、水平方向１２に１ライン分の画素データを読み出して出力する処理とを交互に繰り返す。これにより、サブ画像の上半分に対応する画素データが出力されたことになる。続いて、サブ画像の左下方の領域と同じ表示内容を示す第３分割画像に対して、水平方向１２に１ライン分の画素データを読み出して出力する処理と、サブ画像の右下方の領域と同じ表示内容を示す第４分割画像に対して、水平方向１２に１ライン分の画素データを読み出して出力する処理とを交互に繰り返す。これにより、分割画像の下半分に対応する画素データが出力されたことになる。
【０１５８】
このように、出力回路１４２７は、サブ画像が分割画像として描画された場合であってもそのサブ画像が正しくＥＬ画面６０に表示されるように、分割画像を構成する各画素データの読み出しを行う。
【０１５９】
一方、縮小倍率が設定されていると判定した場合（ステップＳ９５：ＹＥＳ）、描画エンジン１４２４は、分割画像を拡大してから、サブ画像としてＥＬ表示器６に出力する（ステップＳ９７）。具体的には、縮小倍率の逆数を拡大倍率として第１フレームバッファ１４２６Ａ内の各分割画像に対して拡大処理を行い、拡大処理された分割画像を出力回路１４２７に出力させる。その結果、ＥＬ画面６０の画面解像度と同じ画素数のサブ画像が出力される。例えば縮小倍率が「０．５」に設定されている場合、描画エンジン１４２４は、拡大倍率２倍（＝１／０．５）に設定する。そして、第１フレームバッファ１４２６Ａに格納されている各分割画像をＶＲＡＭ＿ＲＳ上で２倍に拡大して、拡大処理した各分割画像を、サブ画像として出力回路１４２７に出力させる。
【０１６０】
ステップＳ９０の処理、ステップＳ９６の処理、又はステップＳ９７の処理が行われた後、処理がステップＳ８１へ戻されて次のフレームに対してステップＳ８１以降の処理が行われる。
【０１６１】
［本実施形態の作用効果］
以上説明したように、本実施形態によれば、ＥＬ表示器６が移動可能に構成され、遊技領域２０に配置された役物に対応する所定の位置へＥＬ表示器６が移動したときに役物関連情報を示すサブ画像がＥＬ画面６０に表示される。このため、その役物の位置や機能を遊技者が容易に把握することが可能になる。結果として、各役物の機能等が分からないことが原因で興趣性が低下してしまうのを防止することができる。
【０１６２】
また、本実施形態によれば、サブ画像が第１フレームバッファ１４２６Ａ又は第２フレームバッファ１４２６Ｂの空き領域に収まるように分割された状態で描画される。このため、必要以上に容量が大きいフレームバッファを設けることなく、液晶画面５０に表示されるメイン画像、及びＥＬ画面６０に表示される役物関連情報を示すサブ画像を１個の描画手段（本実施形態では描画エンジン１４２４）によって１個のフレームバッファ（第１フレームバッファ１４２６Ａ又は第２フレームバッファ１４２６Ｂ）に描画することができる。したがって、液晶表示器５及びＥＬ表示器６を備えることによる製造コストの上昇を最低限に抑えることができる。
【０１６３】
また、特別図柄等を表示する液晶表示器５とは別の画像表示器（例えばＥＬ表示器６）を追加した遊技機を製造する場合、ＥＬ表示器６の画面解像度（＝サブ画像の垂直画素数×水平画素数）は、どのような画面解像度のＥＬ表示器６が追加されるかによって大きく異なる。本実施形態によれば、サブ画像が第１フレームバッファ１４２６Ａ又は第２フレームバッファ１４２６Ｂの空き領域に収まるように分割画像サイズＳＳ及び分割数ＳＮが算出されて、その算出結果に基づいてサブ画像が分割画像として描画される。このため、液晶画面５０又はＥＬ画面６０の画面解像度が変化したとしても、第１フレームバッファ１４２６Ａ又は第２フレームバッファ１４２６Ｂへの描画処理を適切に行うことができる。
【０１６４】
また、本実施形態によれば、メイン画像を描画した後の第１フレームバッファ１４２６Ａ（又は第２フレームバッファ１４２６Ｂ）の空き領域にサブ画像を分割しなければ描画できない場合にのみサブ画像が分割画像として描画され、分割が不要な場合にはサブ画像が空き領域にそのまま描画される（図２６参照）。このため、第１フレームバッファ１４２６Ａ又は第２フレームバッファ１４２６Ｂの空き領域に対するサブ画像のサイズに応じた適切な描画処理を行うことができる。
【０１６５】
［演出制御部１３０によるＥＬ制御処理の変形例］
以下、図２９を参照しつつ、ＥＬ制御処理の変形例について説明する。ここで、図２９は、演出制御部１３０によって実行されるＥＬ制御処理の変形例を示すフローチャートである。
【０１６６】
演出制御部１３０のＣＰＵ１３１は、図２９に示されるように、画像音響制御部１４０によって実行されている演出に関する情報を取得して、現在の状態が大当たり中であるか否かを判定する（ステップＳ６１）。ＣＰＵ１３１は、大当たり中ではないと判定した場合（ステップＳ６１：ＮＯ）、同じく演出に関する情報に基づいて、リーチ演出中であるか否かを判定する（ステップＳ６２）。ＥＬ表示器６に役物関連情報が表示されると、液晶画面５０上で行われている大当たり中の演出の視認性、又は液晶画面５０上で行われているリーチ演出の視認性が低下してしまうと考えられる。このため、大当たり中であるとＣＰＵ１３１によって判定された場合（ステップＳ６１：ＹＥＳ）、又はリーチ演出中であるとＣＰＵ１３１によって判定された場合（ステップＳ６２：ＹＥＳ）、一連のＥＬ制御処理が終了して、再度ステップＳ６１以降の処理が行われる。
【０１６７】
ＣＰＵ１３１は、リーチ演出中ではないと判定した場合（ステップＳ６２：ＮＯ）、演出キー３８に内蔵されたボタンランプ４０（図１０参照）を発光させる処理をランプ制御部１５０に指示する（ステップＳ６３）。これにより、遊技者による演出キー３８の操作に応じてＥＬ表示器６が移動可能な状態となる。
【０１６８】
ステップＳ６３の処理に続いて、ＣＰＵ１３１は、演出キー３８からの操作情報の入力の有無に基づいて、演出キー３８が操作されたか否かを判定する（ステップＳ６４）。ＣＰＵ１３１は、演出キー３８が操作されたと判定した場合（ステップＳ６４：ＹＥＳ）、演出キー３８から入力された操作情報に応じてＥＬ表示器６を移動させる（ステップＳ６５）。演出キー３８から入力された操作情報を含む移動指示コマンドをランプ制御部１５０へ送信する。これに対して、ランプ制御部１５０のＣＰＵ１５１は、受信した移動指示コマンドから抽出した操作情報に基づいて、第１ステッピングモータ２９及び第２ステッピングモータ３０の駆動を制御する。これにより、遊技者によって押下された演出キー３８の周辺キーによって指示された方向へＥＬ表示器６が移動する。
【０１６９】
ステップＳ６５の処理に続いて、演出制御部１３０のＣＰＵ１３１は、光センサ５６による検知結果に基づいて、ＲＡＭ１３３に記憶されているＥＬ表示器６の位置情報を更新する（ステップＳ６６）。
【０１７０】
続いて、位置判定手段として機能するＣＰＵ１３１は、現在のＥＬ表示器６の位置が、遊技領域２０に配置された遊技球の入賞又は抽選に係る役物に対応付けられた所定位置であるか否かを判定する（ステップＳ６７）。具体的には、ＲＯＭ１３２に記憶されている第１位置から第６位置を示す情報をＲＡＭ１３３に読み出し、現在のＥＬ表示器６の位置が、普通入賞口２４に対応する第１位置、第１始動口２１に対応する第２位置、大入賞口２３に対応する第３位置、ゲート２５に対応する第４位置、電動チューリップ２７に対応する第５位置、及び第２始動口２２に対応する第６位置のいずれかの位置であるか否かを判定する。第１位置から第６位置のいずれの位置でもないとＣＰＵ１３１が判定した場合（ステップＳ６７：ＮＯ）、又は演出キー３８が操作されなかった場合（ステップＳ６４：ＮＯ）、一連のＥＬ制御処理が終了して、再度ステップＳ６１以降の処理が行われる。
【０１７１】
ＣＰＵ１３１は、ＥＬ表示器６が所定位置に位置していると判定した場合（ステップＳ６７：ＹＥＳ）、その所定位置に対応する役物を判別する（ステップＳ６８）。具体的には、ＥＬ表示器６の現在の位置が第１位置から第６位置のいずれの位置であるかを判別し、判別した位置に対応する役物ナンバーＮを特定する。例えばＥＬ表示器６が第１位置に位置している場合、役物ナンバーＮ（Ｎ＝１）を特定することができる。また、例えばＥＬ表示器６が第４位置に位置している場合、役物ナンバーＮ（Ｎ＝４）を特定することができる。
【０１７２】
ＣＰＵ１３１は、ステップＳ６８の処理によって役物を判別した後、判別した役物に対応する役物関連情報の表示を画像音響制御部１４０に対して指示する（ステップＳ６９）。具体的には、ＣＰＵ１３１は、役物ナンバーＮを含む２画面表示指示コマンドを画像音響制御部１４０へ送信する。これに対して、画像音響制御部１４０は、ＶＤＰ１４２による描画処理を制御して、役物ナンバーＮに対応する第Ｎ役物関連情報をＥＬ表示器６のＥＬ画面６０に表示させる。その結果、遊技者が演出キー３８を操作してＥＬ表示器６を移動させた位置に応じた役物関連情報がＥＬ画面６０に表示されることになる。したがって、遊技者は、自身が知りたい役物と近接する位置へＥＬ画面６０を移動させることで、所望の役物関連情報を取得することができる。
【０１７３】
［駆動機構１０の変形例］
図３０は、駆動機構１０の変形例について説明するための図である。上記実施形態においては、昇降駆動機構２００及びスライド駆動機構２２０からなる駆動機構１０によってＥＬ表示器６が移動する場合について説明したが、ＥＬ表示器６は、他の駆動機構によって移動するものであってもよい。例えば、図３０（Ａ）に例示されるように、基台６０１に対して軸６０５を介して回動可能に連結されたアーム６０２と、アーム６０２に対して軸６０６を介して回動可能に連結されたアーム６０３と、アーム６０３に対して軸６０７を介して回動可能に連結されると共にＥＬ表示器６が固定されたアーム６０４とを備える駆動機構を用いてもよい。
【０１７４】
また、図３０（Ｂ）に例示されるように、アーム７０１の先端に固定された透明ＥＬディスプレイ７００が軸７０２を中心に回動することによって透明ＥＬディスプレイ７００が移動する駆動機構を用いてもよい。この場合、駆動機構１０に比べて駆動機構の構成が簡素であるため、パチンコ遊技機１の製造コストを低減させることができる。
【０１７５】
［その他の変形例］
上記実施形態では、本発明の可動表示器が透過型のＥＬディスプレイ（ＥＬ表示器６）である場合について説明したが、可動表示器は非透過型或いはバックライトを備えた液晶ディスプレイ等であってもよい。ただし、可動表示器の表示画面が非透過である場合には液晶画面５０において可動表示器によって覆われた領域に表示された画像を遊技者が視認できなくなるので、可動表示器としては透過型のものを使用することが好ましい。また、液晶画面５０に対して可動表示器の液晶画面を重ねて２画面表示を行った場合、画面表示される画像の内容によっては、可動表示器の液晶画面に表示された画像と液晶画面５０に表示された画像との区別がつきにくくなって視認性が低下することが考えられる。このため、可動表示器としては、画像を単色表示するＥＬディスプレイ等を用いることが好ましい。
【０１７６】
上記実施形態では、第１種パチンコ機に分類されるパチンコ遊技機１に本発明が適用された場合について説明したが、羽根モノと呼ばれる第２種パチンコ機や第１種パチンコ機の機能と第２種パチンコ機の機能とを併せ持つ１種２種混合タイプのパチンコ機に本発明を適用してもよい。ここで、第２種パチンコ機は、所定の始動口に遊技球が入賞すると一対の羽根部材を有する可変入賞装置の羽根部材が１回ないし２回開閉動作を行って、可変入賞装置内に入賞した遊技球が特定領域（Ｖゾーン）を通過したときに大当たりが発生するというものである。このため、第２種パチンコ機又は１種２種混合タイプのパチンコ機に本発明が適用される場合には、可変入賞装置やＶゾーンに関する役物関連情報を可動表示器の表示画面に表示するのが好適である。
【０１７７】
また、上記実施形態では、１個の描画エンジン１４２４が１個のフレームバッファに対してメイン画像及びサブ画像の両方を描画する場合について説明したが、メイン画像の描画処理を行う描画エンジンとは別の描画エンジンを用いてサブ画像の描画処理を行ってもよい。
【０１７８】
また、上記実施形態では、ＣＰＵ１４１が分割画像サイズＳＳ及び分割数ＳＮを算出する算出手段として機能する場合について説明したが、パチンコ遊技機１は、必ずしも算出手段を備えている必要はない。例えば、分割画像サイズＳＳ及び分割数ＳＮは、設定処理によって算出される代わりに例えば予め制御用ＲＯＭ１４４に記憶されていてもよい。
【０１７９】
また、上記実施形態では、パチンコ遊技機１がサブ画像の分割が必要か否かを判定する分割判定手段（上記実施形態ではＣＰＵ１４１）を備えている場合について説明したが、例えば分割が必要であることが明らかである場合等には、分割が必要か否かの判定処理を行うことなくサブ画像を分割画像として描画するようにしてもよい。すなわち、本発明のパチンコ遊技機は、必ずしも分割判定手段を備えている必要はない。
【０１８０】
また、上記実施形態では、光センサ５６の検知結果に基づいてＥＬ画面６０の位置を検出する場合について説明したが、これに代えて、第１ステッピングモータ２９、及び第２ステッピングモータ３０のステップ数に基づいて、ＥＬ表示器６の位置を検出するようにしてもよい。或いは、液晶表示器５のバックライトからＥＬ表示器６へ向けて可視光及び紫外光を出射させると共に、ＥＬ表示器６のフレーム６１からの反射光のうち、紫外光のみを光センサ５６側へ透過させるＵＶフィルタを備える構成を採用して、光センサ５６による紫外光の受光結果に基づいてＥＬ表示器６の位置検出を行ってもよい。この場合、不可視光を用いてセンシングが行われるので、ホール照明等の可視光による外乱の影響を低減して、ＥＬ表示器６の位置検出の精度を向上させることができる。
【符号の説明】
【０１８１】
１    パチンコ遊技機
２    遊技盤
５    液晶表示器（本発明の固定表示器の一例）
６    ＥＬ表示器（本発明の可動表示器の一例）
１０    駆動機構
２１    第１始動口（本発明の役物の一例）
２２    第２始動口（本発明の役物の一例）
２３    大入賞口（本発明の役物の一例）
２４    普通入賞口（本発明の役物の一例）
２５    ゲート（本発明の役物の一例）
２７    電動チューリップ（本発明の役物の一例）
２９    第１ステッピングモータ
３０    第２ステッピングモータ
５０    液晶画面（本発明の表示画面の一例）
６０    ＥＬ画面（本発明の表示画面の一例）
１３０    演出制御部
１３１    ＣＰＵ
１４０    画像音響制御部
１４１    ＣＰＵ
１４２    ＶＤＰ
１５０    ランプ制御部
１５１    ＣＰＵ
１４２４    描画エンジン
１４２５    ＶＲＡＭ＿ＲＳ
１４２６    ＶＲＡＭ＿ＦＢ
１４２６Ａ    第１フレームバッファ
１４２６Ｂ    第２フレームバッファ
１４２７    出力回路
【図１】
0005455779.tif 000002
【図２】
0005455779.tif 000003
【図３】
0005455779.tif 000004
【図４】
0005455779.tif 000005
【図５】
0005455779.tif 000006
【図６】
0005455779.tif 000007
【図７】
0005455779.tif 000008
【図８】
0005455779.tif 000009
【図９】
0005455779.tif 000010
【図１０】
0005455779.tif 000011
【図１１】
0005455779.tif 000012
【図１２】
0005455779.tif 000013
【図１３】
0005455779.tif 000014
【図１４】
0005455779.tif 000015
【図１５】
0005455779.tif 000016
【図１６】
0005455779.tif 000017
【図１７】
0005455779.tif 000018
【図１８】
0005455779.tif 000019
【図１９】
0005455779.tif 000020
【図２０】
0005455779.tif 000021
【図２１】
0005455779.tif 000022
【図２２】
0005455779.tif 000023
【図２３】
0005455779.tif 000024
【図２４】
0005455779.tif 000025
【図２５】
0005455779.tif 000026
【図２６】
0005455779.tif 000027
【図２７】
0005455779.tif 000028
【図２８】
0005455779.tif 000029
【図２９】
0005455779.tif 000030
【図３０】
0005455779.tif 000031